(57)【要約】ＷＴＲＵにより実行される方法は、ｇＮＢに対して、第１のアップリンク（ＵＬ）キャリアの第１の物理ランダムアクセスチャネル（ＰＲＡＣＨ）リソース上に第１のランダムアクセスプリアンブルを送信し、第１のＰＲＡＣＨリソース上の送信が不成功であると決定することを含むことがあり得る。方法はさらに、第１のＵＬキャリア上のランダムアクセス再送の最大回数が満たされることを決定し、応答して、ＷＴＲＵは、第２のＵＬキャリアによりｇＮＢに、第３のＰＲＡＣＨリソース上の第３のランダムアクセスプリアンブルを送信することを含むことがあり得る。ＷＴＲＵは、キャリアオフセットによって少なくとも部分的には第２のＵＬキャリアに関するＲＡ−ＲＮＴＩを決定することがあり得る。ＷＴＲＵは、ＲＡ−ＲＮＴＩに基づいてランダムアクセス応答（ＲＡＲ）に対して監視することがあり得る。
2021503220.tif 000002
【特許請求の範囲】
【請求項１】
ワイヤレス送信／受信ユニット（ＷＴＲＵ）によって行われる方法であって、
次世代ノードＢ（ｇＮＢ）に対して、第１のアップリンク（ＵＬ）キャリアの第１の物理ランダムアクセスチャネル（ＰＲＡＣＨ）リソース上に第１のランダムアクセスプリアンブルを送信するステップと、
前記第１のＰＲＡＣＨリソース上の前記送信が不成功であると決定するステップと、
前記ｇＮＢに対して、前記第１のＵＬキャリアの第２のＰＲＡＣＨリソース上に第２のランダムアクセスプリアンブルを送信するステップと、
前記第２のＰＲＡＣＨリソース上の前記送信が不成功であると決定するステップと、
前記第１のＵＬキャリア上のランダムアクセス再送の最大回数が満たされると決定するステップと、
第２のＵＬキャリア上で前記ｇＮＢに対して、第３のＰＲＡＣＨリソース上に第３のランダムアクセスプリアンブルを送信するステップと、
前記第２のＵＬキャリアのためのランダムアクセス無線ネットワーク一時識別子（ＲＡ−ＲＮＴＩ）を決定するステップであって、前記ＲＡ−ＲＮＴＩは、キャリアオフセットによって少なくとも部分的には決定される、ステップと、
前記ＲＡ−ＲＮＴＩに基づいて、ランダムアクセス応答（ＲＡＲ）を監視するステップと
を備え、前記第１のＵＬキャリアおよび第２のＵＬキャリアは、別個のＵＬキャリアであることを特徴とする方法。
【請求項２】
前記ＲＡＲを首尾よく受信するステップと、
前記ｇＮＢに対して、前記ＲＡＲにおいて示されるリソース上に無線リソース制御（ＲＲＣ）接続要求メッセージを送信するステップと
をさらに備えることを特徴とする請求項１に記載の方法。
【請求項３】
前記第１のＵＬキャリア上の前記ランダムアクセス再送の最大回数は、前記第１のＵＬキャリアの第１の帯域幅部分上のランダムアクセス再送の最大回数と、前記第１のＵＬキャリアの第２の帯域幅部分上のランダムアクセス再送の最大回数とに対応することを特徴とする請求項１に記載の方法。
【請求項４】
前記キャリアオフセットは、サプリメンタリィアップリンク（ＳＵＬ）キャリアの識別子であることを特徴とする請求項１に記載の方法。
【請求項５】
前記第１のＵＬキャリアは、前記ＷＴＲＵのプライマリーＵＬキャリアであり、前記第２のＵＬキャリアは、サプリメンタリィアップリンク（ＳＵＬ）キャリアであることを特徴とする請求項１に記載の方法。
【請求項６】
前記第１のランダムアクセスプリアンブルは、第１のビームで送信され、前記第２のランダムアクセスプリアンブルは、第２のビームで送信され、前記第１のビームおよび第２のビームは、異なるビームであることを特徴とする請求項１に記載の方法。
【請求項７】
前記ランダムアクセス再送の最大回数は、ビーム数に基づいて決定されることを特徴とする請求項１に記載の方法。
【請求項８】
次世代ノードＢ（ｇＮＢ）に対して、第１のアップリンク（ＵＬ）キャリアの第１の物理ランダムアクセスチャネル（ＰＲＡＣＨ）リソース上に第１のランダムアクセスプリアンブルを送信するように構成されたトランスミッターと、
前記第１のＰＲＡＣＨリソース上の前記送信が不成功であると決定するように構成された回路と、
前記ｇＮＢに対して、前記第１のＵＬキャリアの第２のＰＲＡＣＨリソース上に第２のランダムアクセスプリアンブルを送信するように構成された前記トランスミッターと、
前記第２のＰＲＡＣＨリソース上の前記送信が不成功であると決定するように構成された回路と、
前記第１のＵＬキャリア上のランダムアクセス再送の最大回数が満たされると決定するように構成された回路と、
第２のＵＬキャリア上で前記ｇＮＢに対して、第３のＰＲＡＣＨリソース上に第３のランダムアクセスプリアンブルを送信するように構成された前記トランスミッターと、
前記第２のＵＬキャリアのためのランダムアクセス無線ネットワーク一時識別子（ＲＡ−ＲＮＴＩ）を決定するように構成された回路であって、前記ＲＡ−ＲＮＴＩは、キャリアオフセットによって少なくとも部分的には決定される、回路と、
前記ＲＡ−ＲＮＴＩに基づいて、ランダムアクセス応答（ＲＡＲ）を監視するように構成されたレシーバーと
を備え、前記第１のＵＬキャリアおよび第２のＵＬキャリアは、別個のＵＬキャリアであることを特徴とするワイヤレス送信／受信ユニット（ＷＴＲＵ）。
【請求項９】
前記ＷＴＲＵによって、前記ＲＡＲが首尾よく受信され、無線リソース制御（ＲＲＣ）接続要求メッセージが前記受信されたＲＡＲにおいて示されるリソースで送信されることを特徴とする請求項８に記載のＷＴＲＵ。
【請求項１０】
前記第１のＵＬキャリア上の前記ランダムアクセス再送の最大回数は、前記第１のＵＬキャリアの第１の帯域幅部分上のランダムアクセス再送の最大回数と、前記第１のＵＬキャリアの第２の帯域幅部分上のランダムアクセス再送の最大回数とに対応することを特徴とする請求項８に記載のＷＴＲＵ。
【請求項１１】
前記キャリアオフセットは、サプリメンタリィアップリンク（ＳＵＬ）キャリアの識別子であることを特徴とする請求項８に記載のＷＴＲＵ。
【請求項１２】
前記第１のＵＬキャリアは、ＳＵＬキャリアであり、前記第２のＵＬキャリアは、プライマリーＵＬキャリアであることを特徴とする請求項８に記載のＷＴＲＵ。
【請求項１３】
前記第１のランダムアクセスプリアンブルは、第１のビームで送信され、前記第２のランダムアクセスプリアンブルは、第２のビームで送信され、前記第１のビームおよび第２のビームは、異なるビームであることを特徴とする請求項８に記載のＷＴＲＵ。
【請求項１４】
前記ランダムアクセス再送の最大回数は、ビーム数に基づいて決定されることを特徴とする請求項８に記載のＷＴＲＵ。
【請求項１５】
次世代ノードＢ（ｇＮＢ）に対して、第１のアップリンク（ＵＬ）キャリアの第１の物理ランダムアクセスチャネル（ＰＲＡＣＨ）リソース上に第１のランダムアクセスプリアンブルを送信するように構成されたトランスミッターと、
前記第１のＰＲＡＣＨリソース上の前記送信が不成功であると決定するように構成された回路と、
前記ｇＮＢに対して、前記第１のＵＬキャリアの第２のＰＲＡＣＨリソース上に第２のランダムアクセスプリアンブルを送信するように構成された前記トランスミッターと、
前記第２のＰＲＡＣＨリソース上の前記送信が不成功であると決定するように構成された回路と、
最大送信電力レベルが満たされることを決定するように構成された回路と、
第２のＵＬキャリア上で前記ｇＮＢに対して、第３のＰＲＡＣＨリソース上に第３のランダムアクセスプリアンブルを送信するように構成された前記トランスミッターと、
前記第２のＵＬキャリアのためのランダムアクセス無線ネットワーク一時識別子（ＲＡ−ＲＮＴＩ）を決定するように構成された回路であって、前記ＲＡ−ＲＮＴＩは、キャリアオフセットによって少なくとも部分的には決定される、回路と、
前記ＲＡ−ＲＮＴＩに基づいて、ランダムアクセス応答（ＲＡＲ）を監視するように構成されたレシーバーと
を備え、前記第１のＵＬキャリアおよび第２のＵＬキャリアは、別個のＵＬキャリアであることを特徴とするワイヤレス送信／受信ユニット（ＷＴＲＵ）。
【請求項１６】
前記ＷＴＲＵによって、前記ＲＡＲが首尾よく受信され、無線リソース制御（ＲＲＣ）接続要求メッセージが前記受信されたＲＡＲにおいて示されるリソースで送信されることを特徴とする請求項１５に記載のＷＴＲＵ。
【請求項１７】
前記ＲＡＲを監視することは、前記ｇＮＢからのｍｓｇ２送信を監視することを含むことを特徴とする請求項１５に記載のＷＴＲＵ。
【請求項１８】
前記キャリアオフセットは、サプリメンタリィアップリンク（ＳＵＬ）キャリアの識別子であることを特徴とする請求項１５に記載のＷＴＲＵ。
【請求項１９】
前記第１のランダムアクセスプリアンブルは、第１のビームで送信され、前記第２のランダムアクセスプリアンブルは、第２のビームで送信され、前記第１のビームおよび第２のビームは、異なるビームであることを特徴とする請求項１５に記載のＷＴＲＵ。
【請求項２０】
最大送信電力レベルは、プライマリーアップリンクキャリアの最大送信電力レベルに対応することを特徴とする請求項１５に記載のＷＴＲＵ。
【発明の詳細な説明】
【技術分野】
【０００１】
本発明は、ワイヤレスシステムにおけるサプリメンタリィアップリンクアクセスのための方法に関し、より詳細には、ＷＴＲＵによって実行される、ワイヤレスシステムにおけるサプリメンタリィアップリンクアクセスのための方法に関する。
【背景技術】
【０００２】
本出願は、２０１７年１１月１５日に出願された米国特許仮出願第６２／５８６，５３７号明細書、および２０１７年１１月２８に出願された米国特許仮出願第６２／５９１，４８２号明細書の利益を主張するものであり、それらの内容は、参照によって本明細書に組み込まれる。
【発明の概要】
【０００３】
ＷＴＲＵによって実行される方法は、ｇＮＢ（next generation Node B；次世代ノードＢ）に対して、第１のランダムアクセスプリアンブル（RA(random access) preamble）を、第１のＵＬ（アップリンク）キャリアの第１のＰＲＡＣＨ（physical RA channel；物理ランダムアクセスチャネル）リソース上に送信することを含むことがあり得る。ＷＴＲＵは、送信が不成功であると決定することがあり得て、応答して、ＷＴＲＵは、第１のＵＬキャリア上の第２のＰＲＡＣＨリソース上に第２のランダムアクセスプリアンブルをｇＮＢに送信することがあり得る。送信が成功しないならば、ＷＴＲＵは、第１のＵＬキャリアについてＲＡの再送（retransmission）の最大回数を満たすかどうかを決定することがあり得る。そうならば、ＷＴＲＵは、第２のＵＬキャリアによりｇＮＢに対して、第３のＰＲＡＣＨリソース上に第３のＲＡプリアンブルを送信することがあり得る。ＷＴＲＵは、キャリアオフセットによって、少なくとも部分的には第２のＵＬキャリアに関するＲＡ−ＲＮＴＩを決定することがあり得る。ＷＴＲＵは、ＲＡ−ＲＮＴＩに基づいてランダムアクセス応答（ＲＡＲ）を監視することがあり得る。第１のＵＬキャリアおよび第２のＵＬキャリアは、別個のＵＬキャリアであることがあり得る。
【０００４】
より詳細な理解は、添付の図面とともに例として与えられる以下の説明から、得られることがあり得り、ここで、図の参照符号は、同様の要素を示す。
【図面の簡単な説明】
【０００５】
【図１Ａ】１つまたは複数の実施形態が実装されることがあり得る例示的な通信システムを例示するシステム図である。
【図１Ｂ】一実施形態に係る図１Ａに例示される通信システム内において使用されることがあり得る例示的なＷＴＲＵ（ワイヤレス送信／受信ユニット）を例示するシステム図である。
【図１Ｃ】一実施形態に係る図１Ａに例示される通信システム内において使用されることがあり得る例示的なＲＡＮ（無線アクセスネットワーク）および例示的なＣＮ（コアネットワーク）を示すシステム図である。
【図１Ｄ】一実施形態に係る図１Ａに例示される通信システム内において使用されることがあり得るさらなる例示的なＲＡＮおよびさらなる例示的なＣＮを例示するシステム図である。
【図２】ＷＴＲＵがｇＮＢ（next generation Node B；次世代ノードＢ）と通信するために使用することがあり得る複数のキャリアの図である。
【図３】帯域幅の範囲により構成される複数の帯域幅部分の図である。
【図４】例示的なＭＡＣ（メディアアクセス制御）ＣＥ（コントロールエレメント）のコマンドの図である。
【図５Ａ】３ビットのＲＶ（リダンダンシーバージョン）カウンターの論理的な表現である。
【図５Ｂ】図５Ａの３ビットのＲＶカウンターを例示する状態図である。
【図６】ＷＴＲＵによって開始されるＲＡ（ランダムアクセス）手順のフローチャートである。
【図７】ＲＡに対してＳＵＬ（supplementary uplink；サプリメンタリィアップリンク）キャリアに切り替えるかどうかを決定するための例示的な方法を例示するフローチャートである。
【図８】ＳＲ（スケジューリング要求）を送信するための例示的な手順のフローチャートである。
【図９】ＳＵＬキャリア上の帯域幅部分上のＲＡ送信が後続するＲＵＬキャリア上の帯域幅部分上のＲＡ送信を例示するタイミング図である。
【発明を実施するための形態】
【０００６】
図１Ａは、１つまたは複数の実施形態が実装されることがあり得る例示的な通信システム１００を例示する図である。通信システム１００は、例えば、音声、データ、ビデオ、メッセージング、ブロードキャストなどのようなコンテンツを、複数のワイヤレスユーザーに提供するマルチプルアクセスのシステムであることがあり得る。通信システム１００は、複数のワイヤレスユーザーに、ワイヤレス帯域幅を含むシステムリソースの共有を通じて、上記のコンテンツにアクセスできるようにすることがあり得る。例えば、通信システム１００は、例えば、ＣＤＭＡ（符号分割多元接続）、ＴＤＭＡ（時分割多元接続）、ＦＤＭＡ（周波数分割多元接続）、ＯＦＤＭＡ（直交周波数分割多元接続）、ＳＣ−ＦＤＭＡ（シングルキャリアＦＤＭＡ）、ＺＴ  ＵＷ  ＤＴＳ−ｓ  ＯＦＤＭ（zero-tail unique-word DFT-Spread OFDM）、ＵＷ−ＯＦＤＭ（unique word OFDM）、リソースブロックフィルターされた（resource block-filtered）ＯＦＤＭ、ＦＢＭＣ（filter bank multicarrier）などのような１つまたは複数のチャネルアクセスの方法を採用することがあり得る。
【０００７】
図１Ａに示すように、通信システム１００は、ＷＴＲＵ（ワイヤレス送信／受信ユニット）１０２ａ、１０２ｂ、１０２ｃ、１０２ｄ、ＲＡＮ１０４／１１３、ＣＮ１０６／１１５、公衆交換電話網（ＰＳＴＮ）１０８、インターネット１１０、および他のネットワーク１１２を含むことがあり得るが、実施形態は、いくつものＷＴＲＵ、基地局、ネットワーク、および／またはネットワークエレメントを予期すると理解されるであろう。ＷＴＲＵ１０２ａ、１０２ｂ、１０２ｃ、１０２ｄの各々は、ワイヤレス環境において動作するおよび／または通信するように構成されるどのタイプのデバイスであってもよい。例として、ＷＴＲＵ１０２ａ、１０２ｂ、１０２ｃ、１０２ｄは、いずれも、「局」および／または「ＳＴＡ」ということがあり得り、ワイヤレス信号を送信するおよび／または受信するように構成されることがあり得り、ＵＥ（ユーザー機器）、移動局、固定または移動の加入者ユニット、サブスクリプションベースのユニット、ページャー、セルラー電話、ＰＤＡ（パーソナルデジタルアシスタント）、スマートフォン、ラップトップ、ネットブック、パーソナルコンピューター、ワイヤレスセンサー、ホットスポットまたはＭｉ−Ｆｉデバイス、ＩｏＴ（モノのインターネット）デバイス、腕時計または他のウェアラブル、ＨＭＤ（ヘッドマウントディスプレイ）、車両、ドローン、医療用のデバイスおよびアプリケーション（例えば、遠隔手術）、工業用のデバイスおよびアプリケーション（例えば、工業のおよび／または自動化された処理チェーンのコンテキストにおいて動作するロボットおよび／または他のワイヤレスデバイス）、家電デバイス、商業および／または工業のワイヤレスネットワーク上に動作するデバイスなどを含むことがあり得る。どのＷＴＲＵ１０２ａ、１０２ｂ、１０２ｃ、および１０２ｄをとっても、ＵＥと交換可能にいうことがあり得る。
【０００８】
さらに、通信システム１００は、基地局１１４ａおよび／または基地局１１４ｂを含むこともあり得る。基地局１１４ａ、１１４ｂの各々は、１つまたは複数の通信ネットワーク、例えば、ＣＮ１０６／１１５、インターネット１１０、および／またはその他のネットワーク１１２などへのアクセスを容易にするために、ＷＴＲＵ１０２ａ、１０２ｂ、１０２ｃ、１０２ｄのうちの少なくとも１つとワイヤレスにインターフェイスするように構成されるどのタイプのデバイスであってもよい。例として、基地局１１４ａ、１１４ｂは、ＢＴＳ（無線基地局装置）、Ｎｏｄｅ−Ｂ、ｅＮｏｄｅ  Ｂ、ホームＮｏｄｅ  Ｂ、ホームｅＮｏｄｅ  Ｂ、ｇＮＢ、ＮＲ  ＮｏｄｅＢ、サイトコントローラー、ＡＰ（アクセスポイント）、ワイヤレスルータなどであることがあり得る。基地局１１４ａ、１１４ｂは、各々、単一の要素として描かれる一方、基地局１１４ａ、１１４ｂは、相互接続された基地局および／またはネットワークエレメントをいくつでも含むことがあり得ると理解されるであろう。
【０００９】
基地局１１４ａは、さらに、他の基地局および／または、例えば、ＢＳＣ（基地局制御装置）、ＲＮＣ（無線ネットワーク制御装置）、中継ノードなどのようなネットワークエレメント（図示せず）を含むこともあり得るＲＡＮ１０４／１１３の一部であることがあり得る。基地局１１４ａおよび／または基地局１１４ｂは、１つまたは複数のキャリア周波数上にワイヤレス信号を送信するおよび／または受信するように構成されることがあり得り、セル（図示せず）ということがあり得る。今述べた周波数は、許可されたスペクトル、許可されていないスペクトル、または許可されたスペクトルと、許可されていないスペクトルとの組み合わせであることがあり得る。セルは、相対的に固定されることがあり得り、またはやがて変化することがあり得る特定の地理的なエリアに対して、カバレッジをワイヤレスサービスに提供することがあり得る。さらに、セルは、セルのセクターに分割されることがあり得る。例えば、基地局１１４ａに関連付けられたセルは、３つのセクターに分割されることがあり得る。したがって、一実施形態において、基地局１１４ａは、３つのトランシーバー、すなわち、セルの各セクターに対して１つを含むことがあり得る。実施形態において、基地局１１４ａは、ＭＩＭＯ（multiple-input multiple output；多入力多出力）の技術を採用することがあり得り、セルの各セクターに対して複数のトランシーバーを利用することがあり得る。例えば、ビームフォーミングは、望ましい空間方向に信号を送信するおよび／または受信するために使用されることがあり得る。
【００１０】
基地局１１４ａ、１１４ｂは、適切な、どんなワイヤレス通信リンク（例えば、ＲＦ（無線周波数）、マイクロ波、センチメートル波、マイクロメートル波、ＩＲ（赤外線）、ＵＶ（紫外線）、可視光など）でもあることがあり得るエアインターフェイス１１６を介して、ＷＴＲＵ１０２ａ、１０２ｂ、１０２ｃ、１０２ｄのうちの１つまたは複数と通信することがあり得る。エアインターフェイス１１６は、適切な、どのＲＡＴ（無線アクセス技術）を使用しても確立されることがあり得る。
【００１１】
より具体的には、上に述べたように、通信システム１００は、マルチプルアクセスのシステムであることがあり得り、例えば、ＣＤＭＡ、ＴＤＭＡ、ＦＤＭＡ、ＯＦＤＭＡ、ＳＣ−ＦＤＭＡなどのような１つまたは複数のチャネルアクセススキームを採用することがあり得る。例えば、ＲＡＮ１０４／１１３における基地局１１４ａ、およびＷＴＲＵ１０２ａ、１０２ｂ、１０２ｃは、例えば、ＷＣＤＭＡ（wideband CDMA）を使用してエアインターフェイス１１５／１１６／１１７を確立することがあり得るＵＴＲＡ（UMTS（Universal Mobile Telecommunications System） Terrestrial Radio Access）などの無線技術を実装することがあり得る。ＷＣＤＭＡは、例えば、ＨＳＰＡ（High-Speed Packet Access）および／またはＨＳＰＡ＋（Evolved HSPA）などの通信プロトコルを含むことがあり得る。ＨＳＰＡは、ＨＳＤＰＡ（High-Speed DL(Downlink) Packet Access）および／またはＨＳＵＰＡ（High-Speed UL Packet Access）を含むことがあり得る。
【００１２】
実施形態において、基地局１１４ａおよびＷＴＲＵ１０２ａ、１０２ｂ、１０２ｃは、ＬＴＥ（Long Term Evolution）および／またはＬＴＥ−Ａ（LTE-Advanced）および／またはＬＴＥ−Ａ  Ｐｒｏ（LTE-Advanced Pro）を使用してエアインターフェイス１１６を確立することがあり得る、例えばＥ−ＵＴＲＡ（Evolved UMTS Terrestrial Radio Access）などの無線技術を実装することがあり得る。
【００１３】
実施形態において、基地局１１４ａおよびＷＴＲＵ１０２ａ、１０２ｂ、１０２ｃは、ＮＲ（New Radio）を使用してエアインターフェイス１１６を確立することがあり得る、例えばＮＲの無線アクセスなどの無線技術を実装することがあり得る。
【００１４】
実施形態において、基地局１１４ａおよびＷＴＲＵ１０２ａ、１０２ｂ、１０２ｃは、複数の無線アクセス技術を実装することがあり得る。例えば、基地局１１４ａおよびＷＴＲＵ１０２ａ、１０２ｂ、１０２ｃは、例えばＤＣ（dual connectivity；デュアルコネクティビティ）の原理を使用して、ＬＴＥの無線アクセスおよびＮＲ無線のアクセスを同時に実装することがあり得る。したがって、ＷＴＲＵ１０２ａ、１０２ｂ、１０２ｃによって利用されるエアインターフェイスは、複数の種類の無線アクセス技術、および／または複数の種類の基地局（例えば、ｅＮＢおよびｇＮＢ）に／から送られる送信によって、特徴付けられることがあり得る。
【００１５】
他の実施形態において、基地局１１４ａおよびＷＴＲＵ１０２ａ、１０２ｂ、１０２ｃは、例えば、ＩＥＥＥ８０２．１１（すなわち、ＷｉＦｉ（Wireless Fidelity））、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００ＥＶ−ＤＯ、ＩＳ−２０００（Interim Standard 2000）、ＩＳ−９５（Interim Standard 95）、ＩＳ−８５６（Interim Standard 856）、ＧＳＭ（Global System for Mobile communications）、ＥＤＧＥ（Enhanced Data rates for GSM Evolution）、ＧＥＲＡＮ（ＧＳＭ  ＥＤＧＥ）などのような無線技術を実装することがあり得る。
【００１６】
図１Ａにおける基地局１１４ｂは、例えば、ワイヤレスルータ、ホームＮｏｄｅ  Ｂ、ホームｅＮｏｄｅ  Ｂ、またはアクセスポイントであることがあり得り、例えば、事業所、家庭、車両、キャンパス、工業施設、空中回廊（例えば、ドローンによる使用のための）、車道などのような局所的なエリアにおいてワイヤレス接続を容易にするのに適したどんなＲＡＴでも利用してよい。一実施形態において、基地局１１４ｂおよびＷＴＲＵ１０２ｃ、１０２ｄは、ＷＬＡＮ（wireless local area network）を確立するために、例えばＩＥＥＥ８０２．１１などの無線技術を実装することがあり得る。実施形態において、基地局１１４ｂおよびＷＴＲＵ１０２ｃ、１０２ｄは、ＷＰＡＮ（wireless personal area network）を確立するために、例えばＩＥＥＥ８０２．１５などの無線技術を実装することがあり得る。さらに別の実施形態において、基地局１１４ｂおよびＷＴＲＵ１０２ｃ、１０２ｄは、ピコセルまたはフェムトセルを確立するために、セルラーベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することがあり得る。図１Ａに示すように、基地局１１４ｂは、インターネット１１０への直接接続を有することがあり得る。したがって、基地局１１４ｂは、ＣＮ１０６／１１５を介してインターネット１１０にアクセスすることが要求されないことがあり得る。
【００１７】
ＲＡＮ１０４／１１３は、ＣＮ１０６／１１５と通信状態であることがあり得り、音声、データ、アプリケーション、および／またはＶｏＩＰ（voice over internet protocol）サービスを、ＷＴＲＵ１０２ａ、１０２ｂ、１０２ｃ、１０２ｄのうちの１つまたは複数に提供するように構成されるどのタイプのネットワークであってもよい。データは、例えば、異なるスループットの要件、待ち時間の要件、エラー許容範囲の要件、信頼性の要件、データスループットの要件、モビリティの要件などのような様々なＱｏＳ（quality of service）の要件を有することがあり得る。ＣＮ１０６／１１５は、コール制御、料金請求サービス、モバイルロケーションベースサービス（mobile location-based service）、プリペイドコーリング、インターネット接続、ビデオ配信などを提供すること、および／または例えばユーザー認証などのハイレベルなセキュリティー機能を実行することがあり得る。図１Ａに示さないが、ＲＡＮ１０４／１１３および／またはＣＮ１０６／１１５は、ＲＡＮ１０４／１１３と同じＲＡＴまたは異なるＲＡＴを採用する他のＲＡＮと直接または間接の通信状態にあることがあり得ると理解されるであろう。例えば、ＣＮ１０６／１１５は、ＮＲの無線技術を利用していることがあり得るＲＡＮ１０４／１１３に接続されていることに加えて、さらに、ＧＳＭ、ＵＭＴＳ、ＣＤＭＡ２０００、ＷｉＭＡＸ、Ｅ−ＵＴＲＡ、またはＷｉＦｉの無線技術を採用する別のＲＡＮ（図示せず）と通信状態にあることもあり得る。
【００１８】
さらに、ＣＮ１０６／１１５は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしての役割を果たすこともあり得る。ＰＳＴＮ１０８は、ＰＯＴＳ（plain old telephone service）を提供する回線交換の電話網を含むことがあり得る。インターネット１１０は、一般的な通信プロトコル、例えば、ＴＣＰ（transmission control protocol）／ＩＰ（internet protocol）のインターネットプロトコルスイートにおけるＴＣＰ、ＵＤＰ（user datagram protocol）、および／またはＩＰなどを使用する相互接続されたコンピューターネットワークおよびデバイスからなるグローバルシステムを含むことがあり得る。ネットワーク１１２は、他のサービスプロバイダによって所有されるおよび／または運営される有線および／またはワイヤレスの通信ネットワークを含むことがあり得る。例えば、ネットワーク１１２は、ＲＡＮ１０４／１１３と同じＲＡＴ、または異なるＲＡＴを採用することがあり得る１つまたは複数のＲＡＮに接続される別のＣＮを含むことがあり得る。
【００１９】
通信システム１００におけるＷＴＲＵ１０２ａ、１０２ｂ、１０２ｃ、１０２ｄのうちのいくつかまたはすべては、マルチモードの性能を含むことがあり得る（例えば、ＷＴＲＵ１０２ａ、１０２ｂ、１０２ｃ、１０２ｄは、別個のワイヤレスリンクを介して別個のワイヤレスネットワークと通信するために複数のトランシーバーを含むことがあり得る）。例えば、図１Ａに示すＷＴＲＵ１０２ｃは、セルラーベースの無線技術を採用することがあり得る基地局１１４ａと、およびＩＥＥＥ８０２の無線技術を採用することがあり得る基地局１１４ｂと通信するように構成されることがあり得る。
【００２０】
図１Ｂは、例示的なＷＴＲＵ１０２を例示するシステム図である。図１Ｂに示すように、ＷＴＲＵ１０２は、数ある中でも、プロセッサー１１８、トランシーバー１２０、送信／受信エレメント１２２、スピーカー／マイクロフォン１２４、キーパッド１２６、ディスプレイ／タッチパッド１２８、取り外しできないメモリー１３０、取り外し可能なメモリー１３２、電源１３４、ＧＰＳ（グローバルポジショニングシステム）のチップセット１３６、および／または他の周辺機器１３８を含むことがあり得る。ＷＴＲＵ１０２は、実施形態に矛盾しないまま、上述の要素のどんな部分的な組み合わせ（sub-combination）でも含むことあり得ると理解されるであろう。
【００２１】
プロセッサー１１８は、汎用プロセッサー、専用プロセッサー、従来型プロセッサー、ＤＳＰ（digital signal processor）、複数のマイクロプロセッサー、ＤＳＰコアとともに１つまたは複数のマイクロプロセッサー、コントローラー、マイクロコントローラー、ＡＳＩＣ（Application Specific Integrated Circuit）、ＦＰＧＡ（Field Programmable Gate Array）回路、他種類のＩＣ（集積回路）のいずれか、ステートマシンなどであることがあり得る。プロセッサー１１８は、信号コーディング、データ処理、電力制御、入力／出力処理、および／またはＷＴＲＵ１０２にワイヤレス環境において動作できるようにする他のどんな機能でも実行することがあり得る。プロセッサー１１８は、送信／受信エレメント１２２に結合することがあり得るトランシーバー１２０に結合されることがあり得る。図１Ｂは、プロセッサー１１８およびトランシーバー１２０を別々のコンポーネントとして描く一方、プロセッサー１１８およびトランシーバー１２０は、電子パッケージまたはチップにおいてともに統合されることがあり得ると理解されるであろう。
【００２２】
送信／受信エレメント１２２は、エアインターフェイス１１６を介して、基地局（例えば、基地局１１４ａ）に対して信号を送信するまたは受信するように構成されることがあり得る。例えば、一実施形態においては、送信／受信エレメント１２２は、ＲＦ信号を送信するおよび／または受信するように構成されるアンテナであることがあり得る。実施形態において、送信／受信エレメント１２２は、例えば、ＩＲ信号、ＵＶ信号もしくは可視光信号を送信する、および／または受信するように構成されるエミッター／ディテクターであることがあり得る。さらに別の実施形態において、送信／受信エレメント１２２は、ＲＦおよび光の信号の両方を送信するおよび／または受信するように構成されることがあり得る。送信／受信エレメント１２２は、ワイヤレス信号のどんな組み合わせでも送信するおよび／または受信するように構成されることがあり得ると理解されるであろう。
【００２３】
送信／受信エレメント１２２は、図１Ｂにおいて単一の要素として描かれるが、ＷＴＲＵ１０２は、送信／受信エレメント１２２をいくつでも含むことがあり得る。より具体的には、ＷＴＲＵ１０２は、ＭＩＭＯの技術を採用することがあり得る。したがって、一実施形態において、ＷＴＲＵ１０２は、エアインターフェイス１１６を介して、ワイヤレス信号を送信し受信するために、２つ以上の送信／受信エレメント１２２（例えば、複数のアンテナ）を含むことがあり得る。
【００２４】
トランシーバー１２０は、送信／受信エレメント１２２によって送信されることである信号を変調するように、および送信／受信エレメント１２２によって受信される信号を復調するように構成されることがあり得る。上に述べたように、ＷＴＲＵ１０２は、マルチモードの性能を有することがあり得る。したがって、例えば、トランシーバー１２０は、ＷＴＲＵ１０２に、例えばＮＲおよびＩＥＥＥ８０２．１１などの複数のＲＡＴによって通信できるようにするために、複数のトランシーバーを含むことがあり得る。
【００２５】
ＷＴＲＵ１０２のプロセッサー１１８は、スピーカー／マイクロフォン１２４、キーパッド１２６、および／またはディスプレイ／タッチパッド１２８（例えば、ＬＣＤ（液晶ディスプレイ）ディスプレイユニットもしくはＯＬＥＤ（有機発光ダイオード）ディスプレイユニット）により、結合されることがあり得りおよびユーザー入力データを受信することがあり得る。さらに、プロセッサー１１８は、ユーザーデータを、スピーカー／マイクロフォン１２４、キーパッド１２６、および／またはディスプレイ／タッチパッド１２８に出力することもあり得る。加えて、プロセッサー１１８は、適切な、どんなタイプのメモリーでも、例えば、取り外しできないメモリー１３０および／または取り外し可能なメモリー１３２などに対して、情報にアクセスしデータを格納することがあり得る。取り外しできないメモリー１３０は、ＲＡＭ（random-access memory）、ＲＯＭ（読み出し専用メモリー）、ハードディスク、または他のどんなタイプのメモリーストレージデバイスでも含むことがあり得る。取り外し可能なメモリー１３２は、ＳＩＭ（subscriber identity module）カード、メモリースティック、ＳＤ（secure digital）メモリーカードなどを含むことがあり得る。他の実施形態において、プロセッサー１１８は、ＷＴＲＵ１０２に物理的に配置されない、例えば、サーバーまたはホーコンピューター（図示せず）などのメモリーに対して、情報にアクセスしデータを格納することがあり得る。
【００２６】
プロセッサー１１８は、電源１３４から電力を受け取ることがあり得り、ＷＴＲＵ１０２におけるその他のコンポーネントへの電力を分配および／または制御するように構成されることがあり得る。電源１３４は、ＷＴＲＵ１０２に電力を供給するのに適したどのデバイスでもあってもよい。例えば、電源１３４は、１つまたは複数の乾電池（例えば、ＮｉＣｄ（ニッケルカドミウム）、ＮｉＺｎ（ニッケル亜鉛）、ＮｉＭＨ（ニッケル水素）、Ｌｉ−ｉｏｎ（リチウムイオン）など）、太陽電池、燃料電池などを含むことがあり得る。
【００２７】
さらに、プロセッサー１１８は、ＷＴＲＵ１０２の現在のロケーションに関する位置情報（例えば、経度および緯度）を提供するように構成されることがあり得るＧＰＳチップセット１３６に結合されることもあり得る。ＧＰＳチップセット１３６からの情報に加えてまたは代わりに、ＷＴＲＵ１０２は、基地局（例えば、基地局１１４ａ、１１４ｂ）からエアインターフェイス１１６を介して位置情報を受信する、および／または２つ以上の近隣の基地局から受信されている信号のタイミングに基づいてそのロケーションを特定することがあり得る。ＷＴＲＵ１０２は、実施形態に矛盾しないまま、適切な、どんな位置決定（location-determination）の方法を通じてでも位置情報を取得することがあり得るということが理解されるであろう。
【００２８】
さらに、プロセッサー１１８は、追加の特徴、機能性、および／または有線接続もしくはワイヤレス接続を提供する１つまたは複数のソフトウェアモジュールおよび／またはハードウェアモジュールを含むことがあり得る他の周辺機器１３８に結合されることがあり得る。例えば、周辺機器１３８は、加速度計、ｅコンパス、衛星トランシーバー、デジタルカメラ（写真および／またはビデオ用）、ＵＳＢ（ユニバーサルシリアルバス）ポート、振動デバイス、テレビジョントランシーバー、ハンドフリーヘッドセット、Ｂｌｕｅｔｏｏｔｈ（登録商標）モジュール、ＦＭ（frequency modulated）ラジオユニット、デジタルミュージックプレーヤー、メディアプレーヤー、ビデオゲームプレーヤーモジュール、インターネットブラウザー、ＶＲ／ＡＲ（仮想現実および／または拡張現実）デバイス、アクティビティートラッカーなどを含むことがあり得る。周辺機器１３８は、１つまたは複数のセンサーを含むことがあり得り、センサーは、ジャイロスコープ、加速度計、ホール効果センサー、磁力計、方位センサー、近接センサー、温度センサー、時間センサー、ジオロケーションセンサー（geolocation sensor）、高度計、光センサー、タッチセンサー、磁力計、気圧計、ジェスチャーセンサー、生体認証センサー、および／または湿度センサーのうちの１つまたは複数であることがあり得る。
【００２９】
ＷＴＲＵ１０２は、（例えば、ＵＬ（例えば、送信用）およびダウンリンク（例えば、受信用）の両方に関して特定のサブフレームに関連付けられた）信号のうちのいくつかまたはすべての送信および受信が並列および／または同時であることがあり得る全二重無線を含むことがあり得る。全二重無線は、ハードウェア（例えば、チョーク）か、プロセッサー（例えば、別々のプロセッサー（図示せず）、またはプロセッサー１１８による）による信号処理かのいずれかによる自己干渉を減らすおよびまたは実質的になくすための干渉管理ユニット１３９を含むことがあり得る。実施形態において、ＷＲＴＵ１０２は、（例えば、ＵＬ（例えば、送信用）かダウンリンク（例えば、受信用）かのいずれかに関して特定のサブフレームに関連付けられた）信号のうちのいくつかまたはすべての送信および受信が半二重無線を含むことがあり得る。
【００３０】
図１Ｃは、実施形態によるＲＡＮ１０４およびＣＮ１０６を例示するシステム図である。上に述べたように、ＲＡＮ１０４は、エアインターフェイス１１６を介してＷＴＲＵ１０２ａ、１０２ｂ、１０２ｃと通信するためにＥ−ＵＴＲＡの無線技術を採用することがあり得る。さらに、ＲＡＮ１０４は、ＣＮ１０６と通信状態にあることもあり得る。
【００３１】
ＲＡＮ１０４は、ｅＮｏｄｅ−Ｂ１６０ａ、１６０ｂ、１６０ｃを含むことがあり得るが、ＲＡＮ１０４は、実施形態に矛盾しないまま、ｅＮｏｄｅ−Ｂをいくつでも含むことがあり得ると理解されるであろう。ｅＮｏｄｅ−Ｂ１６０ａ、１６０ｂ、１６０ｃは、各々、エアインターフェイス１１６を介してＷＴＲＵ１０２ａ、１０２ｂ、１０２ｃと通信するために１つまたは複数のトランシーバーを含むことがあり得る。一実施形態において、ｅＮｏｄｅ−Ｂ１６０ａ、１６０ｂ、１６０ｃは、ＭＩＭＯの技術を実装することがあり得る。したがって、例えば、ｅＮｏｄｅ−Ｂ１６０ａは、ＷＴＲＵ１０２ａに対して、ワイヤレス信号を送信するおよび／またはワイヤレス信号を受信するために複数のアンテナを使用することがあり得る。
【００３２】
ｅＮｏｄｅ−Ｂ１６０ａ、１６０ｂ、１６０ｃの各々は、特定のセル（図示せず）に関連付けられることがあり得り、無線リソース管理の決定、ハンドオーバーの決定、ＵＬおよび／またはＤＬにおけるユーザーのスケジューリングなどを取り扱うように構成されることがあり得る。図１Ｃに示すように、ｅＮｏｄｅ−Ｂ１６０ａ、１６０ｂ、１６０ｃは、Ｘ２インターフェイスを介して互いに通信することがあり得る。
【００３３】
図１Ｃに示すＣＮ１０６は、ＭＭＥ（mobility management entity）１６２、ＳＧＷ（サービングゲートウェイ）１６４、およびＰＤＮ（packet data network）ゲートウェイ（またはＰＧＷ）１６６を含むことがあり得る。上述の要素の各々は、ＣＮ１０６の一部として描かれる一方、今述べた要素のうちのいずれかが、ＣＮオペレーター以外のエンティティーによって所有されるおよび／または運営されることがあり得るということが理解されるであろう。
【００３４】
ＭＭＥ１６２は、Ｓ１インターフェイスを介して、ＲＡＮ１０４におけるｅＮｏｄｅ−Ｂ１６２ａ、１６２ｂ、１６２ｃの各々に接続されることがあり得り、制御ノードとしての役割を果たすことがあり得る。例えば、ＭＭＥ１６２は、ＷＴＲＵ１０２ａ、１０２ｂ、１０２ｃのユーザーを認証すること、ベアラのアクティベーション／非アクティベーション、ＷＴＲＵ１０２ａ、１０２ｂ、１０２ｃの初期の接続中に特定のサービングゲートウェイを選択することなどに対して責任があることがあり得る。ＭＭＥ１６２は、ＲＡＮ１０４と、例えば、ＧＳＭおよび／またはＷＣＤＭＡなどの他の無線技術を採用する他のＲＡＮ（図示せず）との間の切り替えに、制御プレーン機能を提供することがあり得る。
【００３５】
ＳＧＷ１６４は、Ｓ１インターフェイスを介して、ＲＡＮ１０４におけるｅＮｏｄｅ  Ｂ１６０ａ、１６０ｂ、１６０ｃの各々に接続されることがあり得る。一般に、ＳＧＷ１６４は、ユーザーデータパケットを、ＷＴＲＵ１０２ａ、１０２ｂ、１０２ｃに対して、ルーティングし転送することがあり得る。ＳＧＷ１６４は、例えば、ｅＮｏｄｅ  Ｂ間ハンドオーバーの間にユーザープレーンを固定すること、ＤＬデータがＷＴＲＵ１０２ａ、１０２ｂ、１０２ｃに利用可能なときにページングをトリガーすること、ＷＴＲＵ１０２ａ、１０２ｂ、１０２ｃのコンテキストを管理し格納することなどのような他の機能を実行することがあり得る。
【００３６】
ＳＧＷ１６４は、ＷＴＲＵ１０２ａ、１０２ｂ、１０２ｃと、ＩＰ対応デバイスとの間における通信を容易にするために、パケット交換ネットワーク、例えばインターネット１１０などへのアクセスを、ＷＴＲＵ１０２ａ、１０２ｂ、１０２ｃに提供することがあり得るＰＧＷ１６６に接続されることがあり得る。
【００３７】
ＣＮ１０６は、他のネットワークとの通信を容易にすることがあり得る。例えば、ＣＮ１０６は、ＷＴＲＵ１０２ａ、１０２ｂ、１０２ｃと、従来の地上通信線の通信デバイスとの間における通信を容易にするために、回線交換ネットワーク、例えばＰＳＴＮ１０８などへのアクセスを、ＷＴＲＵ１０２ａ、１０２ｂ、１０２ｃに提供することがあり得る。例えば、ＣＮ１０６は、ＣＮ１０６とＰＳＴＮ１０８との間におけるインターフェイスとしての役割を果たすＩＰゲートウェイ（例えば、ＩＭＳ（ＩＰマルチメディアサブシステム）サーバー）を含むことがあり得り、またはＩＰゲートウェイと通信することがあり得る。加えて、ＣＮ１０６は、他のサービスプロバイダによって所有されるおよび／または運営される他の有線および／またはワイヤレスのネットワークを含むことがあり得る他のネットワーク１１２へのアクセスを、ＷＴＲＵ１０２ａ、１０２ｂ、１０２ｃに提供することがあり得る。
【００３８】
ＷＴＲＵは、図１Ａ〜図１Ｄにおいてワイヤレス端末として説明されるが、ある代表的な実施形態において、上記の端末は、通信ネットワークとの有線通信インターフェイスを（例えば、一時的にまたは永久に）使用することがあり得ると予期される。
【００３９】
代表的な実施形態において、その他のネットワーク１１２は、ＷＬＡＮであることがあり得る。インフラストラクチャーのＢＳＳ（Basic Service Set）のモードにおけるＷＬＡＮは、ＢＳＳ用のＡＰ（アクセスポイント）と、ＡＰに関連付けられた１つまたは複数のＳＴＡ（ステーション）とを有することがあり得る。ＡＰは、ＤＳ（配信システム）、またはＢＳＳに出入りするトラフィックを搬送する別のタイプの有線ネットワーク／ワイヤレスネットワークに対するアクセスまたはインターフェイスを有することがあり得る。ＢＳＳの外部から生じるＳＴＡへのトラフィックは、ＡＰを通じて届くことがあり得て、ＳＴＡへ配信されることがあり得る。ＳＴＡからＢＳＳの外部の宛先へ生じるトラフィックは、ＡＰへ送られて、それぞれの宛先へ配信されることがあり得る。ＢＳＳ内のＳＴＡ間のトラフィックは、例えば、発信元のＳＴＡがトラフィックをＡＰに送ることがあり得て、ＡＰがトラフィックを送信先のＳＴＡに配信することがあり得る場合に、ＡＰを通じて送られることがあり得る。ＢＳＳ内のＳＴＡ間のトラフィックは、ピアツーピアのトラフィックと考えられる、および／またはいわれることがあり得る。ピアツーピアのトラフィックは、ＤＬＳ（direct link setup）によって、発信元および送信先のＳＴＡの間に（例えば、の間でダイレクトに）送られることがあり得る。ある代表的な実施形態において、ＤＬＳは、８０２．１１ｅのＤＬＳまたは８０２．１１ｚのＴＤＬＳ（tunneled DLS）を使用することがあり得る。ＩＢＳＳ（Independent BSS）モードを使用するＷＬＡＮは、ＡＰを有さないことがあり得り、ＩＢＳＳ内のまたはＩＢＳＳを使用するＳＴＡ（例えば、すべてのＳＴＡ）は、互いに直接通信することがあり得る。通信のＩＢＳＳモードは、本明細書においは、時には、通信の「アドホック」モードということがあり得る。
【００４０】
動作の８０２．１１ａｃインフラストラクチャーモードまたは動作の同様のモードを使用するとき、ＡＰは、例えば、プライマリーチャネルなどの固定されたチャネル上にビーコンを送信することがあり得る。プライマリーチャネルは、固定された幅（例えば、２０ＭＨｚ幅の帯域幅）、またはシグナリングにより動的に設定される幅であることがあり得る。プライマリーチャネルは、ＢＳＳの動作チャネルであることがあり得り、ＡＰとの接続を確立するためにＳＴＡによって使用されることがあり得る。ある代表的な実施形態において、ＣＳＭＡ／ＣＡ（搬送波感知多重アクセス/衝突回避）は、例えば、８０２．１１システムに実装されることがあり得る。ＣＳＭＡ／ＣＡに関し、ＡＰを含むＳＴＡ（例えば、あらゆるＳＴＡ）は、プライマリーチャネルを感知することがあり得る。プライマリーチャネルが、特定のＳＴＡによって、感知される／検出される、および／または、ビジーであると決定されるならば、特定のＳＴＡは、バックオフをすることがあり得る。１つのＳＴＡ（例えば、ただ１つのステーション）は、与えられたＢＳＳにおいて、与えられたどんなときにでも送信することがあり得る。
【００４１】
ＨＴ（高スループット）のＳＴＡは、例えば、４０ＭＨｚ幅のチャネルを構成するために、２０ＭＨｚのプライマリーチャネルと、隣接するまたは隣接していない２０ＭＨｚのチャネルとの組み合わせによって、通信用に４０ＭＨｚ幅のチャネルを使用することがあり得る。
【００４２】
ＶＨＴ（Very High Throughput）のＳＴＡは、２０ＭＨｚ、４０ＭＨｚ、８０ＭＨｚ、および／または１６０ＭＨｚの幅のチャネルをサポートすることがあり得る。４０ＭＨｚおよび／または８０ＭＨｚのチャネルは、連続的な（contiguous）２０ＭＨｚを組み合わせることによって構成されることがあり得る。１６０ＭＨｚのチャネルは、８つの連続的な２０ＭＨｚのチャネルを組み合わせることによって、または８０＋８０構成ということがあり得る２つの非連続的な（non-contiguous）８０ＭＨｚのチャネルを組み合わせることによって、構成されることがあり得る。８０＋８０構成に関し、データは、チャネルエンコーディングの後に、データを２つのストリームへと分割することがあり得るセグメントパーサー（segment parser）にすすむことがあり得る。ＩＦＦＴ（逆高速フーリエ変換）処理、および時間領域処理は、別々に、各ストリームについて行われることがあり得る。ストリームは、２つの８０ＭＨｚのチャネル上にマップされることがあり得り、データは、送信側のＳＴＡによって送信されることがあり得る。受信側のＳＴＡのレシーバーにおいて、上に述べた８０＋８０構成に対する動作は、反転されることがあり得り、組み合わされたデータは、ＭＡＣ（メディアアクセス制御）に送られることがあり得る。
【００４３】
動作のサブの１ＧＨｚモードは、８０２．１１ａｆおよび８０２．１１ａｈによってサポートされる。チャネルの動作帯域幅、およびキャリアは、８０２．１１ｎおよび８０２．１１ａｃに使用されるのと比較して８０２．１１ａｆおよび８０２．１１ａｈにおいて低減される。８０２．１１ａｆは、ＴＶＷＳ（ＴＶホワイトスペース）のスペクトルにおける５ＭＨｚ、１０ＭＨｚ、および２０ＭＨｚの帯域幅をサポートし、８０２．１１ａｈは、ＴＶＷＳでない（non-TVWS）スペクトルを使用する１ＭＨｚ、２ＭＨｚ、４ＭＨｚ、８ＭＨｚ、および１６ＭＨｚの帯域幅をサポートする。代表的な実施形態によれば、８０２．１１ａｈは、メータタイプ制御（Meter Type Control）／マシンタイプ通信（Machine-Type Communication）を、例えば、マクロカバレッジエリアにおけるＭＴＣデバイスなどをサポートすることがあり得る。ＭＴＣデバイスは、ある程度の性能、例えば、ある程度のおよび／または制限された帯域幅用のサポート（例えば、サポートのみ）を含む制限された性能を有することがあり得る。ＭＴＣデバイスは、（例えば、非常に長いバッテリー寿命を維持するために）しきい値を超えるバッテリー寿命を有するバッテリーを含むことがあり得る。
【００４４】
複数のチャネル、およびチャネル帯域幅、例えば、８０２．１１ｎ、８０２．１１ａｃ、８０２．１１ａｆ、および８０２．１１ａｈなどをサポートすることがあり得るＷＬＡＮシステムは、プライマリーチャネルとして指定されることがあり得るチャネルを含む。プライマリーチャネルは、ＢＳＳにおいて、すべてのＳＴＡによってサポートされる最大の共通の動作帯域幅に等しい帯域幅を有することがあり得る。プライマリーチャネルの帯域幅は、ＢＳＳにおいて動作しているすべてのＳＴＡの中から、最小の帯域幅の動作モードをサポートするＳＴＡによって設定および／または制限されることがあり得る。８０２．１１ａｈの例において、たとえＡＰ、およびＢＳＳにおける他のＳＴＡが、２ＭＨｚ、４ＭＨｚ、８ＭＨｚ、１６ＭＨｚ、および／または他のチャネル帯域幅の動作モードをサポートしても、プライマリーチャネルは、１ＭＨｚモードをサポートする（例えば、サポートするだけの）ＳＴＡ（例えば、ＭＴＣタイプデバイス）に対して１ＭＨｚ幅であることがあり得る。キャリアセンシングおよび／またはＮＡＶ（ネットワーク割り当てベクトル）設定は、プライマリーチャネルの状態情報に依存することがあり得る。プライマリーチャネルが、例えば、ＡＰに送信している（１ＭＨｚの動作モードだけをサポートする）ＳＴＡに起因してビジーであるならば、利用可能な全周波数帯域は、たとえ周波数帯域の大部分がアイドルのままであり利用可能であることがあり得ても、ビジーと考えられることがあり得る。
【００４５】
米国において、８０２．１１ａｈによって使用されることがあり得る利用可能な周波数帯域は、９０２ＭＨｚから９２８ＭＨｚまでである。韓国において、利用可能な周波数帯域は、９１７．５ＭＨｚから９２３．５ＭＨｚまでである。日本において、利用可能な周波数帯域は、９１６．５ＭＨｚから９２７．５ＭＨｚまでである。８０２．１１ａｈに利用可能な合計の帯域幅は、国コードによって、６ＭＨｚから２６ＭＨｚまでである。
【００４６】
図１Ｄは、実施形態によるＲＡＮ１１３およびＣＮ１１５を例示するシステム図である。上に述べたように、ＲＡＮ１１３は、エアインターフェイス１１６を介してＷＴＲＵ１０２ａ、１０２ｂ、１０２ｃと通信するためにＮＲの無線技術を採用することがあり得る。さらに、ＲＡＮ１１３は、ＣＮ１１５と通信状態にあることもあり得る。
【００４７】
ＲＡＮ１１３は、ｇＮＢ１８０ａ、１８０ｂ、１８０ｃを含むことがあり得るが、ＲＡＮ１１３は、実施形態に矛盾しないまま、ｇＮＢをいくつでも含むことがあり得るということが理解されるであろう。ｇＮＢ１８０ａ、１８０ｂ、１８０ｃは、各々、エアインターフェイス１１６を介してＷＴＲＵ１０２ａ、１０２ｂ、１０２ｃと通信するために１つまたは複数のトランシーバーを含むことがあり得る。一実施形態において、ｇＮＢ１８０ａ、１８０ｂ、１８０ｃは、ＭＩＭＯの技術を実装することがあり得る。例えば、ｇＮＢ１８０ａ、１０８ｂは、ｇＮＢ１８０ａ、１８０ｂ、１８０ｃに対して、信号を送信するおよび／または信号を受信するためにビームフォーミングを利用することがあり得る。したがって、例えば、ｇＮＢ１８０ａは、ＷＴＲＵ１０２ａに対して、ワイヤレス信号を送信するために、および／またはワイヤレス信号を受信するために、複数のアンテナを使用することがあり得る。実施形態において、ｇＮＢ１８０ａ、１８０ｂ、１８０ｃは、キャリアアグリゲーションの技術を実装することがあり得る。例えば、ｇＮＢ１８０ａは、複数のコンポーネントキャリアをＷＴＲＵ１０２ａ（図示せず）に送信することがあり得る。今述べたコンポーネントキャリアのサブセットは、残りのコンポーネントキャリアが、許可されたスペクトラム上にあることがあり得る間、許可されないスペクトラム上にあることがあり得る。実施形態において、ｇＮＢ１８０ａ、１８０ｂ、１８０ｃは、ＣｏＭＰ（Coordinated Multi-Point）の技術を実装することがあり得る。例えば、ＷＴＲＵ１０２ａは、ｇＮＢ１８０ａおよびｇＮＢ１８０ｂ（および／またはｇＮＢ１８０ｃ）から協調送信を受信することがあり得る。
【００４８】
ＷＴＲＵ１０２ａ、１０２ｂ、１０２ｃは、スケーラブルなニューメロロジー（numerology）に関連付けられた送信を使用して、ｇＮＢ１８０ａ、１８０ｂ、１８０ｃと通信することがあり得る。例えば、ＯＦＤＭのシンボル間隔および／またはＯＦＤＭのサブキャリア間隔は、別個の送信、別個のセル、および／またはワイヤレス送信のスペクトルについての別個の部分に対して、変わることがあり得る。ＷＴＲＵ１０２ａ、１０２ｂ、１０２ｃは、種々のまたはスケーラブルな長さのサブフレームまたはＴＴＩ（送信時間間隔）（例えば、様々な数のＯＦＤＭシンボルおよび／または永続的な様々な長さの絶対時間を含む）を使用して、ｇＮＢ１８０ａ、１８０ｂ、１８０ｃと通信することがあり得る。
【００４９】
ｇＮＢ１８０ａ、１８０ｂ、１８０ｃは、スタンドアロンの構成および／またはスタンドアロンでない構成において、ＷＴＲＵ１０２ａ、１０２ｂ、１０２ｃと通信するように構成されることがあり得る。スタンドアロンの構成において、ＷＴＲＵ１０２ａ、１０２ｂ、１０２ｃは、他のＲＡＮ（例えば、ｅＮｏｄｅ−Ｂ１６０ａ、１６０ｂ、１６０ｃなど）にアクセスすることもなく、ｇＮＢ１８０ａ、１８０ｂ、１８０ｃと通信することがあり得る。スタンドアロンの構成において、ＷＴＲＵ１０２ａ、１０２ｂ、１０２ｃは、ｇＮＢ１８０ａ、１８０ｂ、１８０ｃのうちの１つまたは複数を、モビリティアンカーポイント（mobility anchor point）として利用することがあり得る。スタンドアロンの構成において、ＷＴＲＵ１０２ａ、１０２ｂ、１０２ｃは、許可されない帯域における信号を使用して、ｇＮＢ１８０ａ、１８０ｂ、１８０ｃと通信することがあり得る。スタンドアロンではない構成において、ＷＴＲＵ１０２ａ、１０２ｂ、１０２ｃは、例えば、ｅＮｏｄｅ−Ｂ１６０ａ、１６０ｂ、１６０ｃなどの別のＲＡＮと通信している／接続している間にも、ｇＮＢ１８０ａ、１８０ｂ、１８０ｃと通信する／接続することがあり得る。例えば、ＷＴＲＵ１０２ａ、１０２ｂ、１０２ｃは、ＤＣの原理を実装して、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信することがあり得る。スタンドアロンではない構成において、ｅＮｏｄｅ−Ｂ１６０ａ、１６０ｂ、１６０ｃは、ＷＴＲＵ１０２ａ、１０２ｂ、１０２ｃのためのモビリティアンカーとして役割を果たすことがあり得り、ｇＮＢ１８０ａ、１８０ｂ、１８０ｃは、ＷＴＲＵ１０２ａ、１０２ｂ、１０２ｃにサービスを提供することに、追加のカバレッジおよび／またはスループットを提供することがあり得る。
【００５０】
ｇＮＢ１８０ａ、１８０ｂ、１８０ｃの各々は、特定のセル（図示せず）に関連付けられることがあり得り、無線リソース管理の決定、ハンドオーバーの決定、ＵＬおよび／またはＤＬにおけるユーザーのスケジューリング、ネットワークスライシングのサポート、デュアルコネクティビティ、ＮＲとＥ−ＵＴＲＡとの間におけるインターワーキング、ＵＰＦ（User Plane Function）１８４ａ、１８４ｂに対するユーザープレーンのデータのルーティング、ＡＭＦ（Access and Mobility Management Function）１８２ａ、１８２ｂに対する制御プレーンの情報のルーティングなどを取り扱うように構成されることがあり得る。図１Ｄに示すように、ｇＮＢ１８０ａ、１８０ｂ、１８０ｃは、Ｘｎインターフェイスを介して互いに通信することがあり得る。
【００５１】
図１Ｄに示すＣＮ１１５は、少なくとも１つのＡＭＦ１８２ａ、１８２ｂ、少なくとも１つのＵＰＦ１８４ａ、１８４ｂ、少なくとも１つのＳＭＦ（セッション管理機能）１８３ａ、１８３ｂ、およびことによるとＤＮ（データネットワーク）１８５ａ、１８５ｂを含むことがあり得る。上述の要素の各々は、ＣＮ１１５の一部として描かれる一方、今述べた要素のうちのいずれかが、ＣＮオペレーター以外のエンティティーによって所有されるおよび／または運営されることがあり得るということが理解されるであろう。
【００５２】
ＡＭＦ１８２ａ、１８２ｂは、Ｎ２インターフェイスを介して、ＲＡＮ１１３におけるｇＮＢ１８０ａ、１８０ｂ、１８０ｃのうちの１つまたは複数に接続されることがあり得り、制御ノードとしての役割を果たすことがあり得る。例えば、ＡＭＦ１８２ａ、１８２ｂは、ＷＴＲＵ１０２ａ、１０２ｂ、１０２ｃのユーザーを認証すること、ネットワークスライシングに関するサポート（例えば、別個の要件を有する別個のＰＤＵのセッションを取り扱うこと）、特定のＳＭＦ１８３ａ、１８３ｂを選択すること、登録エリアの管理、ＮＡＳシグナリングの終了、モビリティ管理などに対して責任があることがあり得る。ネットワークスライシングは、ＷＴＲＵ１０２ａ、１０２ｂ、１０２ｃに利用されているサービスのタイプに基づいて、ＷＴＲＵ１０２ａ、１０２ｂ、１０２ｃ用のＣＮのサポートをカスタマイズするために、ＡＭＦ１８２ａ、１８２ｂによって使用されることがあり得る。例えば、別個のネットワークスライスは、例えば、ＵＲＬＬＣ（超高信頼・低遅延）のアクセスに依存するサービス、ｅＭＢＢ（enhanced massive mobile broadband）のアクセスに依存するサービス、ＭＴＣ（マシンタイプ通信）のアクセスに関するサービスなどのような別個のユースケース（use case）に関して確立されることがあり得る。ＡＭＦ１６２は、制御プレーン機能を、ＲＡＮ１１３と、例えばＬＴＥ、ＬＴＥ−Ａ、ＬＴＥ−Ａ  Ｐｒｏなどの他の無線技術および／または例えばＷｉＦｉなどの非３ＧＰＰアクセス技術を採用する他のＲＡＮ（図示せず）との間の切り替えに、提供することがあり得る。
【００５３】
ＳＭＦ１８３ａ、１８３ｂは、Ｎ１１インターフェイスを介して、ＣＮ１１５におけるＡＭＦ１８２ａ、１８２ｂに接続されることがあり得る。さらに、ＳＭＦ１８３ａ、１８３ｂは、Ｎ４インターフェイスを介して、ＣＮ１１５におけるＵＰＦ１８４ａ、１８４ｂに接続されることもあり得る。ＳＭＦ１８３ａ、１８３ｂは、ＵＰＦ１８４ａ、１８４ｂを選択し制御し、ＵＰＦ１８４ａ、１８４ｂを通るトラフィックのルーティングを構成することがあり得る。ＳＭＦ１８３ａ、１８３ｂは、例えば、ＷＴＲＵのＩＰアドレスを管理し割り当てること、ＰＤＵのセッションを管理すること、ポリシーの実施（policy enforcement）およびＱｏＳを制御すること、ダウンリンクデータ通知を提供することなどのような他の機能を実行することがあり得る。ＰＤＵのセッションタイプは、ＩＰベース、非ＩＰベース、イーサネットベースなどであることがあり得る。
【００５４】
ＵＰＦ１８４ａ、１８４ｂは、Ｎ３インターフェイスを介してＲＡＮ１１３におけるｇＮＢ１８０ａ、１８０ｂ、１８０ｃのうちの１つまたは複数に接続されることがあり得り、ＷＴＲＵ１０２ａ、１０２ｂ、１０２ｃとＩＰ対応デバイスとの間の通信を容易にするために、ＷＴＲＵ１０２ａ、１０２ｂ、１０２ｃに、例えば、インターネット１１０などのパケット交換ネットワークへのアクセスを提供することがあり得る。ＵＰＦ１８４、１８４ｂは、例えば、パケットをルーティングし転送すること、ユーザープレーンのポリシーを実施すること、マルチホームのＰＤＵのセッションをサポートすること、ユーザープレーンのＱｏＳを取り扱うこと、ダウンリンクのパケットをバッファリングすること、モビリティアンカリング（mobility anchoring）を提供することなどのような他の機能を実行することがあり得る。
【００５５】
ＣＮ１１５は、他のネットワークとの通信を容易にすることがあり得る。例えば、ＣＮ１１５は、ＣＮ１１５とＰＳＴＮ１０８との間におけるインターフェイスとしての役割を果たすＩＰゲートウェイ（例えば、ＩＭＳ（ＩＰマルチメディアサブシステム）サーバー）を含むことがあり得り、またはＩＰゲートウェイと通信することがあり得る。加えて、ＣＮ１１５は、他のサービスプロバイダによって所有されるおよび／または運営される他の有線および／またはワイヤレスのネットワークを含むことがあり得る他のネットワーク１１２へのアクセスを、ＷＴＲＵ１０２ａ、１０２ｂ、１０２ｃに提供することがあり得る。一実施形態において、ＷＴＲＵ１０２ａ、１０２ｂ、１０２ｃは、ＵＰＦ１８４ａ、１８４ｂへのＮ３インターフェイス、およびＵＰＦ１８４ａ、１８４ｂとＤＮ（データネットワーク）１８５ａ、１８５ｂとの間におけるＮ６インターフェイスを介するＵＰＦ１８４ａ、１８４ｂを通じて、ローカルなＤＮ１８５ａ、１８５ｂに接続されることがあり得る。
【００５６】
図１Ａ〜１Ｄ、および図１Ａ〜１Ｄに対応する説明の観点から、ＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書において説明される他のどのデバイス（複数可）をとっても、１つまたは複数に関連して本明細書において説明される機能のうちの１つもしくは複数またはすべては、１つまたは複数のエミュレーションデバイス（図示せず）によって実行されることがあり得る。エミュレーションデバイスは、本明細書において説明される機能のうちの１つもしくは複数またはすべてをエミュレートするように構成される１つまたは複数のデバイスであることがあり得る。例えば、エミュレーションデバイスは、他のデバイスをテストするために、ならびに／またはネットワークおよび／もしくはＷＴＲＵ機能をシミュレートするために使用されることがあり得る。
【００５７】
エミュレーションデバイスは、ラボ環境において、および／またはオペレーターのネットワーク環境において、他のデバイスの１つまたは複数のテストを実装するように設計されることがあり得る。例えば、１つまたは複数のエミュレーションデバイスは、通信ネットワーク内の他のデバイスをテストするために、有線および／またはワイヤレスの通信ネットワークの一部として全体的にもしくは部分的に実装されているおよび／または展開されている間、１つもしくは複数のまたはすべての機能を実行することがあり得る。１つまたは複数のエミュレーションデバイスは、有線および／またはワイヤレスの通信ネットワークの一部として一時的に実装されている／展開されている間、１つもしくは複数のまたはすべての機能を実行することがあり得る。エミュレーションデバイスは、テスティングの目的のために別のデバイスに直接結合されることがあり得り、および／またはＯＴＡ（over-the-air）のワイヤレス通信を使用してテスティングを実行することがあり得る。
【００５８】
１つまたは複数のエミュレーションデバイスは、有線および／またはワイヤレスの通信ネットワークの一部として実装されていない／展開されていない間、すべてを含む、１つまたは複数の機能を実行することがあり得る。例えば、エミュレーションデバイスは、１つまたは複数のコンポーネントのテスティングを実装するために、テスティングラボラトリーならびに／または展開されない（例えば、テスティングの）有線および／もしくはワイヤレスの通信ネットワークにおけるテスティングのシナリオにおいて利用されることがあり得る。１つまたは複数のエミュレーションデバイスは、テスト機器であることがあり得る。ダイレクトなＲＦカップリング（direct RF coupling）、および／または（例えば、１つもしくは複数のアンテナを含むことがあり得る）ＲＦ回路を介したワイヤレス通信は、データを送信するおよび／または受信するために、エミュレーションデバイスによって使用されることがあり得る。
【００５９】
以下の説明は、例示的な目的のためであり、１つまたは複数のＷＴＲＵ、基地局、ｅＮＢ、他のデバイスなどによって採用される方法の適用性を制限することが、決して意図されない。実施形態は、適用できるまたは望まれるときに、代替のワイヤレス技術、トポロジーに、および／または別個の技術的な原理に関することがあり得る。本明細書において使用される際、用語ネットワークは、無線アクセスネットワークの１つまたは複数のＴＲＰ（transmission reception point）または他のノードに関連付けられることがあり得る１つまたは複数のｇＮＢをいうことがあり得る。ネットワークは、図１Ａ〜１Ｄにおいて例示されるような他の要素を含むことがあり得る。
【００６０】
モバイル通信技術は、絶え間なく進歩し、５番目の具体化、５Ｇのすぐそばにある。先行する世代のように、新しいユースケースは、新しい無線システムの設定要件に大きく貢献した。ＮＲ（New Radio）は、５Ｇ用に開発されている新しい無線技術である。ＮＲのアクセスエアインターフェイス（access air interface）は、レガシーな技術のエアインターフェイスと比較して、よりフレキシブルである。例えば、ＮＲは、許可された帯域および許可されていない帯域の両方において、複数のＲＡＴ（無線アクセス技術）をサポートすることができることがあり得る。
【００６１】
実施形態において、５Ｇシステムの設計は、５Ｇ要件を満たすＮＲアクセス技術に少なくとも部分的には対応することがあり得る。実施形態は、ＮＲ、５Ｇ、または他のどの技術標準、実装もしくは技術にも、決して限定されない。
【００６２】
５Ｇのエアインターフェイスは、以下のユースケース、ＩＢＢ（improved broadband performance）、ＩＣＣ（industrial control and communication）、Ｖ２Ｘ（vehicular application）、ｍＭＴＣ（massive machine-type communication）を少なくとも可能にすることが期待される。今述べたユースケースは、５Ｇのエアインターフェイスに対する以下の要件、ＬＬＣ（ultra-low transmission latency）のサポートと、ＵＲＣ（ultra-reliable transmission）のサポートと、狭帯域の動作を含むＭＴＣの動作のサポートとに変換されることがあり得る。
【００６３】
１ｍｓのＲＴＴ（ラウンドトリップタイム）と同じぐらい短いエアインターフェイスの待ち時間は、１００ｕｓと２５０ｕｓ（未満）との間の範囲におけるＴＴＩのサポートを必要とする可能性がある。超低のアクセス待ち時間に対する、例えば、第１のユーザープレーンのデータユニットについての初期のシステムアクセスから送信完了までの時間に対する、サポートは、関心のあるものであり得るが、より低い優先度のあるものであり得る。ＩＣＣおよびＶ２Ｘは、１０ｍｓ未満のｅ２ｅ（エンドツーエンド）の待ち時間を必要とすることがあり得る。
【００６４】
ＮＲの実装についての１つの設計検討は、レガシーなＬＴＥのシステムによって起こり得るものよりも、より高い送信の信頼性を含む。例えば、目標は、９９．９９９％の送信成功およびサービスアベイラビリティに近いことがあり得る。別の検討は、０〜５００ｋｍ／時の範囲のスピードに対するモビリティのサポートであることがあり得る。少なくともＩＣおよびＶ２Ｘは、１０ｅ-6未満のパケットロス率を必要とすることがあり得る。
【００６５】
エアインターフェイスは、例えば、２００ＫＨｚ未満を使用する狭帯域の動作と、例えば、オートノミーが１５年に達する延長されたバッテリー寿命と、小さくて不定期なデータ送信用の、例えば、数秒から数時間のアクセス待ち時間を伴う１〜１００ｋｂｐｓの範囲の低いデータレート用の、極小の通信オーバーヘッドとを効率よくサポートすべきである。
【００６６】
ＯＦＤＭは、ＬＴＥおよびＩＥＥＥ（米国電気電子技術者協会）８０２．１１標準規格の両方におけるデータ送信用の基本的な信号フォーマットとして使用される。本質的に、ＯＦＤＭは、スペクトルを、サブキャリアと呼ばれる複数の並列な直交するサブバンドに、効率的に分割する。各サブキャリアは、周波数領域におけるｓｉｎｃ型のサブキャリアを導く時間領域における矩形窓を使用して、形作られる。したがって、ＯＦＤＭＡは、信号間の直交性を維持するために、およびキャリア間の干渉を最小にするために、サイクリックプレフィックスの持続時間内において、完全な周波数同期と、アップリンクのタイミングアライメント（timing alignment）の厳格な管理とを必要とする。さらに、上記の厳格な同期は、ＷＴＲＵが複数のアクセスポイントに同時に接続されるシステムにおいて、あまり適していないこともあり得る。さらに、通常、追加の電力低減は、隣接した帯域におけるスペクトル放射の要件の準拠を確実にするために、アップリンクの送信に適用される。準拠を確実にすることへの要求は、ＷＴＲＵのアップリンクの送信のために、断片化されたスペクトルのアグリゲーションがあるところに特に関連がある。
【００６７】
ＣＰ−ＯＦＤＭ（従来のＯＦＤＭ）の短所のうちのいくつかは、実装に関するさらに厳しいＲＦ要件によって、特に、アグリゲーションを必要としない大量の連続的なスペクトルを使用して動作するときに、向けられることがあり得ることが認められる。さらに、ＣＰベースのＯＦＤＭの送信方法は、レガシーなシステムのものに類似した５Ｇ用のダウンリンクの物理レイヤーに発展することもあり得り、例えば、おもに修正は、パイロット信号の密度およびロケーションに対してであるだろう。したがって、さらに、５ｇＦＬＥＸ（5G Flexible Radio Access Technology）の設計は、他の波形候補を考慮することもあり得るが、従来のＯＦＤＭは、少なくともダウンリンクに関して、５Ｇのシステム用の潜在的な候補として残る。
【００６８】
５ｇＦＬＥＸの無線アクセス設計は、同じまたは別個の帯域において、別個のデュプレックスアレンジメント、連続的なスペクトルおよび非連続的なスペクトルの割り当てを含む、別個のおよび／または可変のサイズの利用可能なスペクトルを含む、別個の特徴を有する別個の周波数帯域における開発を可能にする高度なスペクトルの柔軟性によって特徴付けられることがあり得る。さらに、５ｇＦＬＥＸは、複数のＴＴＩの長さに対するサポートを含む可変なタイミングの側面をサポートすることもあり得り、非同期の送信をサポートすることがあり得る。
【００６９】
ＴＤＤ（時分割複信）およびＦＤＤ（周波数分割複信）の両方の複信するスキームは、サポートされることがあり得る。ＦＤＤの動作に対して、補充されるダウンリンクの動作は、スペクトルのアグリゲーションを使用して、サポートされることがあり得る。ＦＤＤの動作は、全二重のＦＤＤおよび半二重のＦＤＤの両方の動作をサポートすることがあり得る。ＴＤＤの動作に対して、ＤＬ／ＵＬの割り当ては、動的であることがあり得り、例えば、それは、固定されたＤＬ／ＵＬのフレーム構成に基づかないことがあり得り、むしろ、ＤＬまたはＵＬの送信間隔の長さは、送信機会ごとに設定されることがあり得る。
【００７０】
図２は、ｇＮＢ２０４と通信状態にあるＷＴＲＵ２０２の例２００である。ｇＮＢ２０４との通信は、ダウンリンクキャリア２０６、プライマリーアップリンクキャリア２０８、およびＳＵＬ（supplementary uplink；サプリメンタリィアップリンク）キャリア２１０を使用した通信を包含することがあり得る。ＳＵＬキャリアは、プライマリーアップリンクキャリア２０８に補充してまたは加えて動作するように構成されることがあり得る。サービングセルまたはｇＮＢ２０４は、１つまたは複数の追加のアップリンクキャリアを、例えば、１つまたは複数のＳＵＬキャリアを、有して構成されることがあり得る。一実施形態において、ＳＵＬ２１０は、ＷＴＲＵが、より低い周波数帯域を有して、例えば、プライマリーＵＬキャリア２０８を有して、構成されるときにＳＵＬにおいて送信を実行することがあり得るような、高い周波数において動作するＷＴＲＵのカバレッジを拡張するのに使用されることがあり得る。今述べたことは、ＷＴＲＵが、セルのプライマリーアップリンクキャリアに属するカバレッジの端に向かって移動しているときに有用であることがあり得る。加えて、より低い周波数リソースは、それらが、例えば壁などのオブジェクトを透過する可能性がより高いことがあり得るので、より信頼できることがあり得る。ＳＵＬの別の潜在的な使用は、特定のサービスの、例えば高いスループットおよび／または信頼性に対する要求の増大を提供するサービスの、供給用であり得る。特に、今述べたことは、ＷＴＲＵが、関係のあるセルに同時にまたはほぼ同時に、例えばＴＤＭ流に、送信される複数のアップリンクにおいて送信を実行するように構成されるならば、可能であることがあり得る。本明細書において使用される際、ＷＴＲＵのプライマリーアップリンクキャリアは、ＲＵＬ（regular uplink；レギュラーアップリンク）キャリアということがあり得る。同様に、用語のＲＵＬキャリアとＮＵＬ（normal uplink；ノーマルアップリンク）キャリアとは、言い換え可能に使用されることがあり得る。
【００７１】
一実施形態において、ＳＵＬは、２つの別々のＵＬキャリアに関連付けられたＤＬキャリアを有するセルのときに、作られることがあり得る。アップリンクキャリアは、さらにＤＬキャリアも配置されるときに高い周波数帯域に配置されるプライマリーＵＬキャリアと、より低い周波数帯域にあることがあり得るＳＵＬキャリアとからなることがあり得り、または構成されることがあり得る。
【００７２】
図３は、周波数帯域または帯域幅３０２により構成される複数の帯域幅部分３０４〜３１２の例３００である。各帯域幅部分３０４〜３１２は、キャリア上の連続的なるＲＢ（リソースブロック）のサブセットから構成されることがあり得る。一実施形態において、ＷＴＲＵは、同時に構成される４つの帯域幅部分に制限されることがあり得る。他の実施形態において、ＷＴＲＵは、より多くの帯域幅部分、またはより少ない帯域幅部分に制限されることがあり得る。図３に示す例において、プライマリーアップリンクキャリア３１６は、帯域幅部分４  ３１２に、ＷＴＲＵが構成する周波数スペクトルの最上部に、配置される。プライマリーダウンリンク３１８は、帯域幅部分３  ３１０に構成される。最も低く構成される帯域幅部分は、ＳＵＬ３１４が構成される帯域幅部分２  ３０８である。帯域幅部分０  ３０４および帯域幅部分１  ３０６は、ＷＴＲＵに対して構成されるアップリンクまたはダウンリンクキャリアを有さない。
【００７３】
ＳＵＬは、制限しないが、ＰＣｅｌｌ（primary cell；プライマリーセル）、デュアルコネクティビティのためのＳＰＣｅｌｌ（Secondary PCell；セカンダリーＰＣｅｌｌ）だけでなくＳＣｅｌｌ（secondary cell；セカンダリー  セル）をも含む、どんな種類のセルに対してでも構成されることがあり得る。ＳＵＬは、スタンドアロンのシステムに対して、またはマルチＲＡＴのデュアルコネクティビティのシステムに属するセルに対して構成されることがあり得る。
【００７４】
ＷＴＲＵは、ＲＵＬかＳＵＬかのいずれかのキャリアを使用して、セルへの初期のアクセスを実行することがあり得る。ＳＵＬの構成は、セルに属する最小のＳＩ（システム情報）の送信におけるブロードキャスト送信を介して、提供されることがあり得る。例えば、ＷＴＲＵは、サービングセルのＤＬの品質がしきい値未満であると決定されるならば、初期のアクセスのためにＳＵＬを選択することがあり得る。今述べたしきい値は、予め構成される、または、ある時点においてＷＴＲＵによって決定されることがあり得る。一実施形態において、ロケーションまたは帯域幅が、サブキャリア間隔およびサイクリックプレフィックスとともにブロードキャストを介して提供されることがあり得る。ＳＵＬの構成は、単一のＳＵＬ構成、または複数のＳＵＬのアップリンク帯域幅部分を使用するための複数のＳＵＬ構成を含むことがあり得る。一実施形態において、単一のＲＵＬのみ、または単一のＳＵＬのみの構成は、ＳＩにおいてブロードキャストされることがあり得る。
【００７５】
別個の動作モードは、ＲＲＣ（無線リソース制御）の接続モードにおけるＳＵＬを使用して、ＷＴＲＵに対して可能であることがあり得る。第１のモードにおいて、ＲＲＣは、複数のＵＬキャリアを有するＷＴＲＵを構成することがあり得り、それらのうちの１つが、関係のあるセルの典型的なアップリンク構成を有するＲＵＬキャリアであり、それらのうちの別のが、ＳＲＳ（sounding reference signal）の構成を最小限に含むことがあり得り、例えばＳＵＬキャリアなどである。動作の上記のモードにおいて、ＷＴＲＵは、アップリンクにおけるすべての制御およびデータ送信のためにＲＵＬキャリアを使用することがあり得る。加えて、ＷＴＲＵは、ＳＵＬキャリアのリソースを使用して、ＳＲＳを送信することがあり得る。ＲＲＣの再構成は、拡張された、典型的な、および／または完全なアップリンクの構成を、異なるキャリアに提供して、いくつかのまたはすべての送信に対してセルに適用できるアクティブなアップリンクキャリアをアクティベートする、および／または切り替えることがあり得る。いくつかの実施形態において、ＳＵＬキャリアは、他の制御情報の送信のために使用されることがあり得る。
【００７６】
第２のモードにおいて、ＲＲＣのシグナリングは、複数のアップリンクキャリアの構成を有するＷＴＲＵに、拡張された、典型的な、および／または完全なアップリンク構成を提供することがあり得る。上記の場合、ＷＴＲＵは、いくつかのまたはすべてのタイプのアップリンクの送信を、例えば、１つまたは複数の関係のあるキャリアのリソースによるＰＵＣＣＨ（physical uplink control channel；物理アップリンク制御チャネル）、ＰＵＳＣＨ（physical uplink shared channel；物理アップリンク共有チャネル）、および／またはＰＲＡＣＨ（physical random access channel；物理ランダムアクセスチャネル）を、実行するのに十分な構成を有することがあり得る。続いて、ＷＴＲＵは、例えば、ＵＬの構成の間の切り替えをアクティベートするおよび／または開始するＭＡＣ  ＣＥ（ＭＡＣ（メディアアクセス制御）ＣＥ（コントロールエレメント））またはＤＣＩ（downlink control information）信号を介して、制御シグナリングを受信することがあり得る。
【００７７】
図４は、例示的なＭＡＣ  ＣＥコマンド４００を例示する。一実施形態において、ＭＡＣ  ＣＥコマンド４００は、ＳＵＬキャリアの追加を示すヘッダー４０２を含むことがあり得る。データフィールド４０４は、ヘッダー４０２に続き、追加されたＳＵＬキャリアに関するアップリンク周波数情報を示すことがあり得る。今述べたことは、ＷＴＲＵに、その周波数において既知のＳＵＬキャリアをアクティベートするか、与えられた周波数においてＳＵＬキャリアを後のアクティベーションのための構成に追加するかのいずれかをできるようにすることがあり得る。
【００７８】
第３のモードにおいて、ＲＲＣのプロトコルは、ＷＴＲＵに複数のアップリンクの構成を提供することがあり得り、２つ以上のアップリンクの構成は、同時か時分割流かいずれかにおいてアクティブであることがあり得る。一実施形態において、動作の上記のモードは、ＷＴＲＵが、いくつかのまたはすべてのタイプのアップリンク送信を同時に実行することが要求されないことがあり得るような、例えば、ＷＴＲＵが、ＰＵＳＣＨをセルに対して同時に複数のアップリンクキャリアにより送信することが要求されないことがあり得るような、制限を含む。実施形態において、上記の制限は、特に、ＷＴＲＵの性能が、例えば、上記の同時送信が１つまたは複数の構成された周波数帯域においてサポートされないことを示すならば、ＷＴＲＵに対して構成されることがあり得る。今述べたタイプのＷＴＲＵは、単一のオシレーターとともに動作する半二重のＷＴＲＵであることがあり得る。代替としてまたは組み合わせて、ＷＴＲＵは、ＭＴＣタイプのＷＴＲＵとして特徴付けられることがあり得る。
【００７９】
広いチャネル帯域幅の１つまたは複数の周波数帯域をサポートすることができないことがあり得るデバイスは、複雑さの低いデバイスを、例えば、ＩＯＴ（モノのインターネット）のデバイスを含む。今述べたデバイスは、フル機能のデバイスよりも複雑ではないことがあり得り、１つまたは複数の狭帯域において動作することに制限されることがあり得る。
【００８０】
ＷＴＲＵは、与えられたセルおよび／またはキャリアのために１つまたは複数のＢＷＰ（帯域幅部分）を有して構成されることがあり得る。ＢＷＰは、以下の、サブキャリア間隔、サイクリックプレフィックス、または連続的なＰＲＢ（physical resource block）の数のうちの少なくとも１つによって特徴付けられることがあり得る。今述べた特徴は、ＷＴＲＵの構成の側面であることがあり得り、ＷＴＲＵの性能に応じて、指定されることがあり得る。加えて、さらに、ＢＷＰは、周波数ロケーションによって、例えば、中心周波数によって特徴付けられることがあり得る。実施形態において、ＢＷＰは、別の周波数ロケーション、すなわち周波数オフセットから特徴付けられることがあり得る。
【００８１】
ＷＴＲＵは、例えばシステム情報の受信から、初期のＢＷＰを有して構成されることがあり得る。例えば、ＷＴＲＵは、与えられたセルおよび／またはキャリア用の初期のＢＷＰを使用して、システムにアクセスするように構成されることがあり得る。一実施形態において、上記のアクセスは、例えば、ＷＴＲＵがアイドルモードである、および／またはＷＴＲＵがシステムへのＲＲＣ接続を確立するべきであると決定するときに、初期のアクセスであることがあり得る。例えば、初期のＢＷＰの構成は、ランダムアクセスの構成を含むことがあり得る。
【００８２】
例えば、接続（CONNECTED）モードのＷＴＲＵは、さらに、デフォルトのＢＷＰを有して構成されることがあり得る。デフォルトのＢＷＰは、初期のＢＷＰと同様であることがあり得り、または異なることがあり得る。ＷＴＲＵは、タイマーの満了のときに、例えば、非アクティビティーをスケジュールする周期の後に、デフォルトのＢＷＰに戻ることがあり得る。ＷＴＲＵは、追加のＢＷＰを有して構成されることがあり得る。例えば、ＷＴＲＵは、データ転送についての特定のタイプ用の、例えば、ＵＲＬＬＣの送信用の、ＢＷＰを有して構成されることがあり得る。
【００８３】
セルベースのワイヤレスシステムは、与えられたセルに対して、通常、ダウンリンクのキャリア周波数により、およびオプションとして、アップリンクのキャリア周波数により動作する。ＳＵＬキャリアの導入は、２つ以上のアップリンクキャリアに対してサポートすることによって、既存のシステムに属するセルのモデリングを拡張する。ＮＲに関して、したがって、ＷＴＲＵは、ゼロ、１つ、または２つのアップリンクキャリアを有して、例えば、単一のダウンリンクキャリアを伴うＲＵＬおよびＳＵＬを有して、動作するように構成されることがあり得る。ＷＴＲＵの追加のビヘイビアーは、上記の追加の構成をサポートするワイヤレスシステムにおいて、有用であることがあり得る。例えば、ＷＴＲＵは、２つ以上のアップリンクキャリアが別個の周波数帯域にあるように構成されることがあり得る。この場合であるならば、同じキャリアにおいてペアにされたダウンリンク送信のパスロスの取得に基づいて従来通りに実行される手順は、悪影響が及ぼされることがあり得る。今述べたことは、別個の周波数帯域上の２つ以上のアップリンクキャリアが、反映されたチャネル状態を必ずしも有さないからである。
【００８４】
例えば、レイヤー２の手順を実行するときに適用できるＵＬキャリアの選択は、先行するシステムと異なることがあり得るいくつかの要因に依存することがあり得る。今述べたことは、複数の構成されたアップリンクキャリアのうちのどれが特定の手順に適用できるかを決定するための条件、基準、およびトリガリングイベントを含むことがあり得る。加えて、さらに、手順の中間の１つまたは複数の移行は、例えば、進行中のどの手順の間にでも、影響を受けた移行であることもあり得る。
【００８５】
例えば、２つ以上のアップリンクキャリアのリソースを使用してデータのデュプリケーションを実行すること、および／またはメッセージの同時送信を実行することなどのような、追加のシステムの改善は、ＳＵＬのサポートによって、可能であることがあり得る。さらに、上記の改善は、ＷＴＲＵが、アクセスポイント、基地局、ｇＮＢ、または他の送信受信ポイントに情報を送信するために、２つ以上の利用可能なＵＬキャリアを使用するように構成されるとき、例えば、１つのキャリアの伝搬状況が悪化するとき、および／または高い信頼性が必要とされるとき、可能であることがあり得る。
【００８６】
ＷＴＲＵは、１つまたは複数のＳＵＬキャリアを有して構成されることがあり得る。例えば、ＷＴＲＵは、与えられたセル用の複数のＳＵＬを有して構成されることがあり得る。以下、実施形態は、ＷＴＲＵによって構成される単一のＳＵＬの場合を考慮する。さらに、方法は、ＷＴＲＵが複数のＳＵＬを有して構成される構成に適用できることもあり得る。一実施形態において、ＳＵＬは、個々に、または互いの組み合わせとして構成されることがあり得る。したがって、実施形態は、用語ＳＵＬまたはＳＵＬキャリアを使用して、説明されることがあり得る。今までに述べた実施形態は、ＳＵＬの帯域、すなわち、１つまたは複数のＳＵＬ帯域に適用できることがあり得る。上に述べたように、いくつかの方法は、１つのアップリンクキャリアに、またはアップリンクキャリアのサブセットに適用されることがあり得る。例えば、最初にＷＴＲＵは、特定のしきい値に達するダウンリンク測定に基づいて、適用できるアップリンクキャリアの第１のサブセットを第１選択することがあり得る。次に、ＷＴＲＵは、適用できるアップリンクキャリアのさらなる決定を、例えば、ダウンリンク制御のスケジューリングの受信に基づいて、行うことがあり得る。１つの例において、アップリンクキャリアは、構成されるアップリンクのＢＷＰとして表されることがあり得る。例えば、ＷＴＲＵが、適用できるＵＬの決定を行うためのいくつかの方法は、ＢＷＰの決定に使用される方法に基づくことがあり得り、さらに他の方法と組み合わせて行われることもあり得る。一実施形態において、ＢＷＰの決定は、アップリンクのみに関係する決定であることがあり得る。
【００８７】
ＷＴＲＵは、ＲＵＬ／ＳＵＬの選択のために１つまたは複数の異なる方法を採用することがあり得る。例えば、方法は、適用できるアップリンクキャリアの静的な、準静的な、または動的な決定を使用するために採用されることがあり得る。例は、ＲＵＬおよびＳＵＬの選択および／またはアクティベーションを含む。例えば、通常、構成による、もしくはシステム情報の受信からの構成による、および／もしくは事前構成による静的な方法、例えば、通常、Ｌ３のシグナリングおよび／もしくはＲＲＣ制御による準静的な方法、または例えば、通常、Ｌ１／Ｌ２のシグナリングおよび／もしくはＬ１／ＭＡＣの制御による動的な方法は、採用されることがあり得る。いくつかの例において、構成は、予め構成されるまたはＮＷ（ネットワーク）制御されることがあり得る。ＮＷ制御ならば、準静的なまたは動的なシグナリングは、使用されることがあり得る。加えて、または代替として、選択は、ＷＴＲＵ制御されることがあり得る。予め構成されたシグナリングを使用して、ＷＴＲＵは、ＲＵＬおよびＳＵＬの両方を同時に有して構成されることがあり得る。一実施形態において、ＳＵＬは、ＳＲＳの送信のために使用されることがあり得る。さらに、しきい値は、ＲＵＬおよびＳＵＬのうちの１つの選択を決定するために、定義されるまたは予め構成されることもあり得る。ネットワーク制御されるシグナリング、準静的な構成、または動的なシグナリングの手法は、選択を提供するのに使用されることがあり得る。準静的な構成を使用して、ＷＴＲＵは、ＲＵＬ、およびただ１つのしきい値を有して構成されることがあり得る。後に、ＷＴＲＵは、特定のイベントに基づいて、ＳＵＬを有して構成されることがあり得る。一実施形態において、ＳＲＳは、ＳＵＬ上に構成されることがあり得る。上記の構成は、例えば、ＲＲＣによって提供されることがあり得る。
【００８８】
動的なシグナリングの手法を使用して、ＷＴＲＵは、ダウンリンクの制御情報を、例えば、ＷＴＲＵがＳＵＬまたはＲＵＬを使用すべきであることを示すＤＣＩのインディケーションまたはＭＡＣ  ＣＥを介して、受信することがあり得る。例えば、ＳＵＬを有するセルの再構成は、ＤＣＩを介して、例えば、ＳＵＬキャリアのキャリアＩＤを使用したクロスキャリアのスケジューリングのために、または例えば、関連付けられたＳＵＬのＢＷＰの制御のために、伝達されることがあり得る。
【００８９】
さらに、準静的なシグナリングと、動的な構成／シグナリングとの組み合わせは、使用されることもあり得る。例えば、特定のＨＡＲＱのプロセスＩＤを有するＤＣＩは、ＳＵＬまたはＲＵＬのうちの１つまたは両方を使用して、ＷＴＲＵに対して情報を伝達するために使用されることがあり得る。上記の例において、最初にＷＴＲＵは、ＲＵＬ用とＳＵＬ用とが異なるＨＡＲＱのプロセスのセットを有して構成され、次にＷＴＲＵは、構成されるまたは動的に割り当てられることがあり得るＤＣＩによって示されるまたはＤＣＩに含まれるプロセスＩＤに基づいて、どのＵＬを使用するかの決定を行う。
【００９０】
ＷＴＲＵ開始の手法において、ＷＴＲＵは、しきい値に達することを決定することがあり得て、ＳＵＬとＲＵＬとの間における切り替えもしくは選択を実行するための、または両方を含む切り替えを実行するための手順を開始することがあり得る。上記の手順は、適用できるアップリンクキャリアの変更が、例えば、適用できるキャリアによりＳＲＳの送信を開始するＷＴＲＵによって、および／またはランダムアクセスの手順から、および／またはアップリンクの制御情報の送信から、生じたことがあり得ると決定するネットワークのための方法を含むことがあり得る。次に、ネットワークは、例えば、ＭＡＣ  ＣＥ、ＤＣＩ、ＲＲＣなどを介して、切り替えを指示するための処置を取ることがあり得る。一実施形態において、ネットワークは、ＳＵＬ上にＵＬ−ＳＣＨリソースを提供することがあり得る。
【００９１】
いくつかの実施形態は、前述の組み合わせを含む。さらに、以下の基準、システム関連のタイミング、送信のタイプ、送信に適用できるＳＣＳ、ＬＣＨ（論理チャネル）の構成、サービス、送信に利用可能なデータ量および／またはデータサイズを含むペイロード、ＵＬグラントまたはＤＬ割当てのインディケーション、送信のＲＶ、ＷＴＲＵのスピードおよびＱＯＳのうちの少なくとも１つに基づいて、決定されることがあり得る、切り替えのための、またはＵＬキャリアの選択のための動的な原因があることもあり得る。
【００９２】
システム関連のタイミングは、例えば、特定のＵＬキャリアに関連付けられることがあり得るいくつかのシンボル、ミニスロット、スロット、サブフレーム、および／または複数のサブフレームを含むことがあり得る。例えば、送信の種類は、アップリンクの制御情報、ＲＲＣ、データ、信号、および／もしくはアップリンクのチャネル、例えば、ＰＵＣＣＨ、ＰＵＳＣＨ、ＳＲＳなど、または他のアップリンクのチャネル送信であることがあり得り、または含むことがあり得る。ＷＴＲＵは、例えば、ＳＵＬなどの第２のキャリアのリソースによりデータの送信を実行することがあり得る間、アップリンクの制御情報の、例えば、ＨＡＲＱのフィードバック、チャネル品質のインディケーションなどの送信を、例えば、ＲＵＬキャリアなどの第１のキャリアを使用して実行することがあり得る。制御情報およびデータ送信の今述べた分離は、ＷＴＲＵがあるしきい値を満たすと決定したときに生じることがあり得る。しきい値は、サブキャリア間隔（ＳＣＳ）またはＬＣＨの構成についての考慮を含むことがあり得る。
【００９３】
ＷＴＲＵは、与えられた送信に適用できるＳＣＳを考慮することがあり得る。例えば、ＷＴＲＵは、第１のＳＣＳを有して構成される第１のアップリンクキャリアのリソースを使用して、第１の送信を実行することがあり得り、構成の側面についての、例えば、ベアラのタイプ、例えばＳＲＢ（signaling radio bearer）またはＤＲＢ（data radio bearer）と、適用できるＳＣＳとの間のアソシエーションについての、相関として第２のＳＣＳを有して構成される第２のアップリンクキャリアのリソースを使用して、第２の送信を実行することがあり得る。
【００９４】
ＷＴＲＵは、与えられた送信に対してＬＣＨの構成を考慮することがあり得る。例えば、ＷＴＲＵは、１つまたは複数の適用できるアップリンクキャリア（複数可）と、ＬＣＨまたはそのグループとの、例えば、関係のあるＬＣＨ（複数可）からのデータの送信用のＬＣＧとの、間における関連付けを伴って構成されることがあり得る。ＷＴＲＵは、ＷＴＲＵが、データに関連付けられたＬＣＨの相関として、送信に利用可能な新たなデータを有すると決定するときに、適用できるアップリンクキャリアを決定することがあり得る。
【００９５】
サービス種別（service type）は、例えば、ＵＲＬＬＣ、ｅＭＢＢ、ｍＭＴＣは、送信がＲＵＬかＳＵＬかのどちらにより生じるかを決定する間に考慮されることがあり得る。加えて、送信に利用可能なデータの量および／またはデータサイズを含むペイロードは、決定に対して考慮されることがあり得る。例えば、ＷＴＲＵは、送信されるデータのサイズの相関として、適用できるアップリンクキャリアを決定するように構成されることがあり得る。上記のサイズは、与えられた送信に対して、トランスポートブロック、ＭＡＣ  ＰＤＵ、ＲＬＣ  ＰＤＵ、またはＰＤＣＰ  ＰＤＵに対応することがあり得る。上記のサイズは、ＬＣＨ（複数可）の１つまたはサブセットまたはすべてに対して、送信に利用可能なデータの全体量に対応することがあり得る。例えば、ＷＴＲＵは、データの量がしきい値未満であると決定するならば、第１のアップリンクキャリアの、例えばＳＵＬの、リソースを使用すべきであると決定することがあり得る。そうでなければ、ＷＴＲＵは、第２のアップリンクキャリアのリソースを使用することがあり得る。一実施形態において、今述べたことは、他の１つまたは複数の基準との組み合わせてであることがあり得る。ＷＴＲＵがＳＵＬを有して構成される場合、ＷＴＲＵは、データの量が、しきい値を超えると決定するならば、ならびに推定されるパスロスが、しきい値未満、および／または関係のあるデータサイズに関連付けられた値を差し引いてすべて利用可能な電力未満であるならば、第１のアップリンクキャリアの、例えばＲＵＬの、リソースを使用すべきであると決定することがあり得る。そうでなければ、ＷＴＲＵは、第２のアップリンクキャリアの、例えばＳＵＬの、リソースを使用することがあり得る。
【００９６】
ＷＴＲＵは、ＵＬグラントまたはＤＬ割当てにおいて受信されるインディケーションを考慮することがあり得る。例えば、ＷＴＲＵは、ダウンリンク送信に関するＨＡＲＱのフィードバックの送信に適用できるアップリンクキャリアを示すダウンリンクの制御シグナリングを受信することがあり得る。例えば、ＷＴＲＵは、アップリンク送信におけるトランスポートブロックの送信に適用できるアップリンクキャリアを示すダウンリンクの制御シグナリングを受信することがあり得る。一実施形態において、インディケーションは、例えば、構成されるグラントに対して、および／または半持続的なスケジューリングに対して、構成の側面であることがあり得る。
【００９７】
ＷＴＲＵは、適用できるＵＬキャリアを決定する間に、送信のＲＶを考慮することがあり得る。例えば、ＷＴＲＵは、適用できるＵＬキャリアを、ＨＡＲＱのプロセスに対して（再）送信のシーケンスから決定することがあり得る。例えば、ＨＡＲＱの再送は、適用できるリダンダンシーバージョンの相関として、以前の（再）送信と異なるＵＬキャリアを使用することがあり得る。ＷＴＲＵのスピードおよびＱｏＳ、例えば、送信されるデータの待ち時間の要件は、追加の基準である。
【００９８】
図５Ａは、３ビットのＲＶカウンター５００を表す。図５Ａにおいて、最下位ビット５０４は、１０進数の０から３まで、すなわち２進数の００から１１まで、カウントするように構成される。一実施形態において、ＷＴＲＵは、０のリダンダンシーバージョンにより開始することがあり得る。送信がエラー状態になるとき毎に、ＷＴＲＵは、ＲＶを１ずつインクリメントすることがあり得る。ロールオーバーが生じれば、最も左のビット５０２は、０から１に変化するだろう。今述べたことは、ＳＵＬの使用に対して、スイッチポイント（switchpoint）を示すことがあり得る。
【００９９】
図５Ｂは、図５Ａの３ビットのＲＶカウンターを例示する状態図５２０である。一実施形態において、ＷＴＲＵは、ランダムアクセスまたは他の送信が失敗すれば、状態を変更することがあり得る。各状態において、リダンダンシーバージョンは、以前の状態と異なることがあり得る。例えば、第１の状態５２２は、０の状態における２ビットのＲＶ５０４を表す。失敗した送信に対して、ＲＶは、ＷＴＲＵが第２の状態５２４に入るとしてインクリメントされる。そして、次に、ＷＴＲＵは、必要ならば第４の状態５２８が続く、第３の状態５２６に入ることがあり得る。第４の状態５２８に入れば、ＷＴＲＵは、ＲＶをインクリメントし、このインクリメントは、ＳＵＬのスイッチポイント５３０をトグルすることがあり得る。今述べたスイッチポイントが生じれば、ＷＴＲＵは、ＳＵＬに対応する第１の状態５３２に入り、必要に応じてＲＶをインクリメントし続けることがあり得る。ＷＴＲＵは、第２の状態５３４、第３の状態５３６、および第４の状態５３８に入ることがあり得る。今述べた状態の各々は、ＷＴＲＵが、以前の状態における以前の送信と比較して、代替のまたは冗長な送信をすることがあり得る別個のＲＶを表す。ＷＴＲＵは、タイマーの満了、または別のイベントが生じたか起こったかの後に、ＲＵＬに戻って循環することがあり得る。
【０１００】
ＷＴＲＵは、ＳＵＬにより１つまたは複数のランダムアクセス手順を実行することがあり得る。ＷＴＲＵは、デフォルトのアップリンクキャリアとして構成されたアップリンクキャリアに関連付けられたリソースを使用して、例えば、初期のアクセスの間に、またはハンドオーバーのときに、ＲＡ手順を開始することがあり得る。ＷＴＲＵがＳＵＬに切り替えるためのインディケーションを受信したならば、またはＳＵＬに切り替えるための条件がトリガーされたならば、ＷＴＲＵは、デフォルトのキャリア以外のアップリンクキャリアについて、例えば、ＳＵＬについてＲＡ手順を実行することがあり得る。
【０１０１】
一実施形態において、前述の切り替え方法に加えて、ＲＲＣ＿ＩＤＬＥからＲＲＣ＿ＣＯＮＮＥＣＴＥＤに移行する初期のアクセスの間に、さらに、次のイベントは、考慮に入れられることがあり得る。ＷＴＲＵは、ＲＭＳＩ（remaining minimum system information）の配信において、ＳＵＬの構成を受信することがあり得る。受信されたＲＳＲＰがしきい値を下回るならば、ＷＴＲＵは、ＲＡＣＨに対して、ＳＵＬを使用することがあり得る。そうでなければ、ＷＴＲＵは、レギュラーアップリンクによりＲＡＣＨ手順を実行することがあり得る。今述べた切り替え方法に加えて、ＳＵＬについてＲＡ手順を生成するための次のトリガー条件は、以下に挙げられる。
【０１０２】
ＷＴＲＵは、ＲＵＬ用の最大再送回数ｐｒｅａｍｂｌｅＴｒａｎｓＭａｘ＿ＲＵＬを有することがあり得り、この値に達すると、ＷＴＲＵがＳＵＬに切り替えることがあり得る。ＳＵＬ用に別の値のｐｒｅｍａｂｌｅＴｒａｎｓＭａｘ＿ＳＵＬが設定され、ＷＴＲＵは、同じルールに応じて、そのＲＡＣＨを試みることがあり得る。
【０１０３】
ＷＴＲＵは、ＲＵＬとＳＵＬとのうちの１つまたは両方に適用できる単一の再送回数（ｐｒｅａｍｂｌｅＴｒａｎｓＭａｘ）を有して構成されることがあり得る。ＷＴＲＵは、各パワーランピングのステップにおいて、ＲＵＬ上のＲＡＣＨのアテンプト（attempt）と、ＳＵＬ上のＲＡＣＨのアテンプトとを交互に行うことがあり得る。代替として、ＷＴＲＵは、単一のＲＵＬまたはＳＵＬについて切り替える前に毎回パワーをインクリメントすることがあり得る。ＷＴＲＵは、ＲＵＬおよびＳＵＬ上の両方のアテンプトに対して、または適用できるアップリンクキャリアとは無関係な個々のアテンプトに基づいて、プリアンブル送信カウンターを１回インクリメントすることがあり得る。ＷＴＲＵは、各アップリンクキャリアに対して、別々のパラメーターを有して構成されることがあり得る。
【０１０４】
ＷＴＲＵがＲＵＬ上にＲＡを実行するとき、ＷＴＲＵは、各アテンプトにおいて、その送信電力を増大させることがあり得る。ＷＴＲＵは、各アテンプトに対してビーム選択を実行することがあり得り、例えば、ＷＴＲＵは、ＷＴＲＵが、送信が成功であると決定するまで、異なるビームを試すことがあり得る。一実施形態において、Ｐc_maxが、ＲＵＬを使用する１つまたは複数のアテンプトに達せられるならば、ＷＴＲＵは、ＳＵＬに切り替えることがあり得る。ＷＴＲＵは、送信の電力を、アップリンクキャリアの、例えばＳＵＬの、変更後に、再初期化することがあり得る。ＷＴＲＵは、同じルールに従い、ＳＵＬに関連付けられた値に構成された、同じまたは異なるｐｃ＿ｍａｘにより電力を増やす。
【０１０５】
図６は、ＲＡ手順を開始したＷＴＲＵのフローチャート６００である。ＷＴＲＵがＲＵＬについてＲＡＣＨ手順を開始する６０２ならば、ＷＴＲＵは、別のアップリンクキャリアに、例えば、ＳＵＬに、切り替えるためのｍｓｇ２におけるインディケーションを受信することがあり得り６０４、ｍｓｇ３用のＵＬグラントは、その他のアップリンクキャリアに、例えば、関連付けられたＳＵＬ帯域に、関連付けられたリソースに適用できることがあり得る。１つの例において、ＷＴＲＵは、デバイスがＲＲＣ＿ＣＯＮＮＥＣＴＥＤモードにあるときに、ハンドオーバーのためにＳＵＬを使用することがあり得る。ＷＴＲＵは、ＲＡが、コンテンションベースの手順として実行されるか、されないか、またはコンテンションフリーの手順として実行されるか、されないかを決定することがあり得る６０６。
【０１０６】
コンテンションフリーのランダムアクセス６０６の間に、ＷＴＲＵは、ＨＯコマンドにおけるＳＵＬまたはＲＵＬの構成を、関連付けられた専用のまたは共通のＲＡＣＨリソースにより受信する６０８ことがあり得る。ＷＴＲＵがＳＵＬとＲＵＬとの両方に専用のＲＡＣＨリソースを有して構成されるならば、ＰＲＡＣＨリソースの選択は、ＲＳＲＰが、構成されたしきい値を下回る場合にＷＴＲＵが、ＳＵＬに関連付けられたＰＲＡＣＨにより送信するようなＲＵＬにペアにされたＤＬビームが受信されたＲＳＲＰと、ＰＲＡＣＨリソースのタイミングと、ＲＡＣＨ送信をビームスイープすることに対する要求とのうちの少なくとも１つに依存することがあり得る。ＷＴＲＵがＲＵＬ上にかＳＵＬ上にかのいずれかにＰＲＡＣＨ送信をビームスイープする必要があるかによって、ＷＴＲＵは、適切なキャリアを選択することがあり得る６１０。例えば、ＵＬの送信ビームがＤＬの受信ビームから決定されないことがあり得るならば、ＷＴＲＵは、ＰＲＡＣＨ送信をビームスイープすることが要求されることがあり得る。別の例において、ＵＬのＢＰＬ（ビームペアリンク）が、満了タイマーを有することがあり得り、ＵＬ  ＢＰＬが依然として有効であるならば、ＷＴＲＵは、ＰＲＡＣＨ送信をビームスイープする必要がないことがあり得る。
【０１０７】
ＷＴＲＵが、ＳＵＬについて専用のＲＡＣＨリソースを、およびＲＵＬについて共通のＲＡＣＨリソースを有して構成されるならば、ＷＴＲＵは、ＳＵＬについて専用のＲＡＣＨリソースを優先的に扱うことがあり得り、ＳＵＬ上のランダムアクセスが失敗した場合のみ、ＲＵＬに戻ることがあり得る。代替として、ＷＴＲＵが、ＲＵＬについて専用のＲＡＣＨリソースを、およびＳＵＬについて共通のＲＡＣＨリソースを有して構成されるならば、ＷＴＲＵは、ＲＵＬに専用のＲＡＣＨリソースを優先的に扱うことがあり得り、ＲＵＬ上のランダムアクセスが失敗した場合のみ、ＳＵＬに戻ることがあり得る。
【０１０８】
コンテンションベースのランダムアクセス６１２に対して、ＷＴＲＵは、ターゲットセルのＲＳＲＰと、各ＵＬキャリア用のＰＨＲと、ＰＲＡＣＨリソースのタイミングと、および／またはＷＴＲＵによって使用されるＤＬビームもしくはＳＳＢ（同期信号ブロック）のインデックスとのうちの少なくとも１つに基づいて、ＲＵＬかＳＵＬかのいずれかに関連付けられた共通のＲＡＣＨリソースを選択することがあり得る６１４。ＷＴＲＵは、ＲＵＬおよびＳＵＬの両方のリソースによりプリアンブルを送信することがあり得る６１６。ＷＴＲＵは、両方のリソースに対して単一のＲＡ−ＲＮＴＩを使用するか、またはＲＵＬおよびＳＵＬに対して２つの別々のＲＡ−ＲＮＴＩを計算するかがあり得る６１８。例えば、ＷＴＲＵは、ネットワークに、２つのプリアンブルが同じＷＴＲＵから生じることをわかることができるようにするやり方において、ＲＵＬおよびＳＵＬの両方によりプリアンブルを送信することがあり得る。例えば、ＷＴＲＵは、短い署名シーケンスを各プリアンブルの送信に加えることがあり得る。今述べたことは、ＷＴＲＵに、ＲＡ手順に関して続けるための適切なＵＬキャリアを決定できるようにすることがあり得る。ＷＴＲＵは、アップリンク上の両方の送信に対応する２つの異なるＲＡ−ＲＮＴＩを用いて、ＲＡＲに対して監視することがあり得る。
【０１０９】
別の方法において、ＲＵＬおよびＳＵＬ上に両方にプリアンブルを送信することに対して、ＷＴＲＵは、各プリアンブルの送信に対応するＲＡＲを予期する、監視する、および受信することがあり得る。ＲＡＲは、情報をＷＴＲＵに提供して、ＷＴＲＵに、適切なグラントを、例えば、ｍｓｇ３の送信のために使用するＵＬキャリアを、選択できるようにすることがあり得る。例において、各ＲＡＲは、ＲＵＬ上のＲＡを継続することがあり得るか、ＳＵＬを使用することがあり得るかのいずれかをＷＴＲＵに示すことがあり得る品質基準を含むことがあり得る。ＷＴＲＵは、ＲＡＲにおいて示されるＵＬのリソースによりｍｓｇ３を送信することがあり得る。ＷＴＲＵは、受信された第１のＲＡＲに関連付けられたＵＬ上にｍｓｇ３を送信することがあり得る。ＳＲ手順によってトリガーされた接続モードにおけるＲＡのために、またはいずれのＵＬについてのタイミングのずれに起因して、ＳＵＬについてＲＡ手順を生成するための条件は、次を含むことがあり得る。ＷＴＲＵは、接続モードにおけるＳＲをトリガーしたＬＣＨのＱｏＳまたは優先度が、構成されたセット内にあるかどうかを決定することがあり得る。上記は、ＵＬのカバレッジと、時間領域におけるＵＬおよびＳＵＬについてのＰＲＡＣＨリソースの周期性とについて、条件づけられることがあり得る。ＷＴＲＵは、ＲＡがトリガーされたＳＲ構成が、ＳＵＬについてのリソースに対する要求を区別するために使用されるかどうかを決定することがあり得る。今述べた決定は、ＰＵＳＣＨ送信に対してＲＵＬとＳＵＬとの間の自律的な切り替えをするＷＴＲＵとともに使用されることがあり得る。ＲＡがトリガーされたＳＲ構成が、ＳＵＬについてＰＵＣＣＨリソースを含むならば、ＷＴＲＵは、ｍｓｇ３の送信のためにＳＵＬに切り替えることがあり得る。ＷＴＲＵは、ＵＬキャリアに切り替えるかどうかを決定する間に、各ＵＬキャリアに対するバッファステータスもしくはＰＨＲ（power headroom）またはＳＲリソースのタイミングなどの他の状況を考慮することがあり得る。
【０１１０】
一般に、ＳＵＬ上のＲＡを生成するイベントがトリガーされ、ＷＴＲＵがＲＵＬについてＲＡ手順を既に開始したならば、ＷＴＲＵは、たとえそれがｐｒｅａｍｂｌｅＴｒａｎｓＭａｘに達していなくても、ＲＵＬ  ＲＡ手順を終了することがあり得り、ＷＴＲＵは、ＲＵＬ  ＲＡ手順が完了するのを待つことがあり得り、およびＷＴＲＵは、ＷＴＲＵが性能を有するならばＳＵＬについて並列なＲＡ手順を開始する、またはＷＴＲＵが性能を有するならばＳＵＬによる手順を継続することがあり得る。
【０１１１】
ＷＴＲＵは、２つの別々のプリアンブルを送信するときにＲＡ−ＲＮＴＩを計算することがあり得る。一実施形態において、ＷＴＲＵは、キャリアのうちの１つ上の、例えば、ＳＵＬまたはＲＵＬのうちの１つ上の、プリアンブルに対するリソース選択に基づいて、単一のＲＡ−ＲＮＴＩを計算することがあり得る。一実施形態において、今述べた選択は、構成可能である。今述べた方法は、ＲＵＬおよびＳＵＬに対するＰＲＡＣＨリソースの選択が、同一であるか、基地局またはネットワークにより検出できることがあり得る関係を有するかのときに、適用できることがあり得る。別の実施形態において、ＷＴＲＵは、リソースが各キャリアに独立して選択されると仮定して、ＷＴＲＵにより選択されるＰＲＡＣＨリソースに基づいて、２つの独立したＲＡ−ＲＮＴＩを算出することがあり得る。両方のキャリアに同じプリアンブルリソースの選択を適用できる別の実施形態において、ＷＴＲＵは、例えば、キャリアオフセットを計算に適用することによって、２つのＲＡ−ＲＮＴＩを算出することがあり得る。ＷＴＲＵは、それがｍｓｇ２をデコードするのに使用したＲＡ−ＲＮＴＩに基づいて、送信するＵＬを決定することがあり得る。
【０１１２】
ＳＵＬを有して構成されるＷＴＲＵのランダムアクセスのリソース選択に対して、リソースは、例えば、ＳｐＣｅｌｌの場合のＬＴＥにおいてなど、グループＡおよびグループＢの２つのグループに分割されることがあり得る。代替として、または組み合わせにおいて、今述べたグルーピングは、ＲＵＬ用にのみ保持されることがあり得る。上記のグルーピングが存在するならば、ＭＡＣエンティティーは、潜在的なメッセージサイズが、例えば、送信に利用可能なＵＬデータに必要なときにＭＡＣヘッダーおよびＭＡＣコントロールエレメントを加えて、ｍｅｓｓａｇｅＳｉｚｅＧｒｏｕｐＡよりも大きく、パスロスが（ＲＡ手順を実行するサービングセルの）ＰCMAX,c−ｐｒｅａｍｂｌｅＩｎｉｔｉａｌＲｅｃｅｉｖｅｄＴａｒｇｅｔＰｏｗｅｒ−ｄｅｌｔａＰｒｅａｍｂｌｅＭｓｇ３−ｍｅｓｓａｇｅＰｏｗｅｒＯｆｆｓｅｔＧｒｏｕｐＢ未満であるならば、グループＢ内のＰＲＡＣＨリソースのうちの１つをランダムに選択することがあり得る。
【０１１３】
パスロスの推定値は、ＷＴＲＵがＲＭＳＩを受信するＤＬキャリアの推定されるパスロスに基づいて、得られることがあり得る。そうでなければ、ＭＡＣエンティティーは、グループＡのＲＡプリアンブルからプリアンブルを選択することがあり得る。
【０１１４】
ＷＴＲＵがＤＬキャリアに基づいてパスロスを推定することができない、またはネットワークがグループの選択においてパスロスを考慮しないことをＷＴＲＵに明示的に示すならば、ＭＡＣエンティティーは、ｍｓｇ３のサイズのみに基づいて、ＰＲＡＣＨリソースのうちの１つをランダムに選択する。
【０１１５】
図７は、ＲＡに対してＳＵＬに切り替えるかどうかを決定するための例示的な方法を例示するフローチャート７００である。初めに、ＷＴＲＵは、ＲＵＬキャリアのアクティブなＢＷＰにおいてＲＵＬ  ＰＲＡＣＨリソースを選択する７０２ことがあり得る。ＷＴＲＵは、ＰＲＡＣＨリソースにより送信し、送信が成功したかどうかを決定することがあり得る。成功しなかったならば、ＷＴＲＵは、リトライ数の実行中のカウンターを確認することがあり得る。カウンターが最大再送回数未満７０４であり、最大送信電力Ｐｃｍａｘに達していない７０６ならば、ＷＴＲＵは、アクティブなＢＷＰにおいて別のＲＵＬ  ＰＲＡＣＨリソースを選択する７０２ことがあり得る。そうでなければ、Ｐｃｍａｘを満たせば、ＷＴＲＵは、アクティブなＢＷＰにおいてＳＵＬ  ＰＲＡＣＨリソースを選択する７０８ことがあり得る。ＷＴＲＵは、ＲＵＬの選択７０２において選択されたＰＲＡＣＨリソースに基づいて、ＲＡ−ＲＮＴＩを計算し７１０、ＳＵＬキャリアのオフセットをそれに適用することがあり得る。ＵＥは、ＳＵＬ上にＰＲＡＣＨを送信し、結果として生じるＲＡ−ＲＮＴＩに基づいてｍｓｇ２を監視する７１２ことがあり得る。ＲＡ手順がＳＵＬについて成功する７１４ならば、手順は終了することがあり得り、ＷＴＲＵは、従ってＳＵＬを使用することがあり得る。手順が成功しないならば、ＷＴＲＵは、最大再送回数に達するかどうか７１６を決定することがあり得る。最大送信回数を満たしていないならば、ＷＴＲＵは、ＳＵＬ上に再送信することがあり得る。最大送信回数を満たしたならば、ＵＥは、アクティブなＢＷＰを変更し７１８、デフォルトのＢＷＰに戻ることがあり得る。次に、再度、ＷＴＲＵは、新たなアクティブなＢＷＰにおいてＳＵＬ  ＰＲＡＣＨリソースを選択する７１８でことがあり得る。
【０１１６】
ＳＵＬキャリアについてのランダムアクセス手順は、ビームフォーミングされたシステムにおいて実行されることがあり得る。今までに述べたＷＴＲＵは、ＷＴＲＵがそのＵＬ送信を実行するように構成される、より高いレギュラーバンドよりも、より良い伝搬特性を有することがあり得る、より低いＮＲ帯域の、例えば，ｃｍＷａｖｅ（センチメートル波）のＳＵＬを有して構成されることがあり得る。サブの６ＧＨｚ帯域（例えばＬＴＥ帯域）におけるＳＵＬに関するのと同じトリガー条件は、当てはまることがあり得る。しかしながら、接続モードのＷＴＲＵの場合におけるランダムアクセス手順は、今述べたシナリオにおいて影響を受ける。
【０１１７】
ＷＴＲＵは、それぞれ、ＣＳＩ−ＲＳおよびＮＲ−ＳＳに関連付けられたＲＡＣＨリソースを有して構成されることがあり得る。ＷＴＲＵは、今までに述べたリファレンス信号に関連付けられたビームを測定することがあり得る。測定された品質が、あるしきい値を上回るならば、ＷＴＲＵは、最初に（ＳＳＢかＣＳＩ−ＲＳかのリソースに関連付けられるかを問わず）専用のＲＡＣＨリソース上にアテンプトをして、次に必要ならば、ＳＳＢに関連付けられた共通のＲＡＣＨリソースに戻ることがあり得る。
【０１１８】
ビームの各々１つに関連付けられたＤＬのリファレンス信号を測定することができることは、ＷＴＲＵに、これらのビームについてＲＡ手順を実行する前に、ビームの適合を決定することを可能にすることができる。しかしながら、ビームフォーミングされたシステムにおけるＳＵＬの場合、ＷＴＲＵは、ＳＵＬに関連付けられたビームの適合を決定することが可能ではない。
【０１１９】
１つまたは複数の実施形態において、ＤＬまたはＵＬのチャネル情報を有さないビームフォーミングされたＳＵＬ  ＲＡＣＨ手順は、実行されることがあり得る。コロケーションまたは部分的なビーム対応が存在することが仮定されるならば、より広いビームを使用するｃｍＷ  ＲＡＣＨ手順は、ｍｍＷ  ＤＬ  ＳＳＢのリファレンスに基づくことが可能であろう。リファレンスは、ｃｍＷとｍｍＷとの間におけるパスロスの補償を考慮に入れることがあり得る。一実施形態において、ビームスイーピングは、採用されることがあり得る。ビームをスイープすることによって、複数のｍｓｇ１の送信は、ＳＵＬのビームにより行われることがあり得る。一実施形態において、ＳＲＳの送信は、ビームフォーミングされることがあり得る。一実施形態において、ＷＴＲＵは、ＷＴＲＵがＳＳＢについてＲＡＣＨ手順を実行するときに、ＳＳＢを常に使用することがあり得る。
【０１２０】
ＳＲ構成は、ＳＵＬまたはＵＬのコンテキストにおいて作られることがあり得る。ＷＴＲＵは、ＵＬの送信リソースのタイプを示すために１つまたは複数のＳＲ構成を使用することがあり得る。ＵＬのリソースは、ＵＬ−ＳＣＨリソースがＲＵＬかＵＳＬかのどちらにあるかによって区別されることがあり得る。ＷＴＲＵは、ＰＵＳＣＨ送信に対してＲＵＬとＳＵＬとの間の自律的な切り替えをするＷＴＲＵとともにＳＲ構成を使用することがあり得る。上記のインディケーションは、ＲＵＬと比較して、ＳＵＬ上のＵＬ−ＳＣＨリソースに対する要求を示すために、ｇＮＢによって利用可能にされるＳＲ構成を選択することにより明示的に行われることがあり得る。上記のモデリングにおいて、ＲＵＬおよびＳＵＬのＳＲ構成は、別々のＳＲ手順として呼び出され、各ＳＲ構成は、ＳＲカウンター、ＳＲアテンプトの最大回数、およびＳＲ禁止タイマーを有することがあり得る。
【０１２１】
代替のモデリングにおいて、単一のＳＲ構成は、ＲＵＬおよびＳＵＬ上の両方のＰＵＣＣＨリソースを含むことがあり得る。上記の場合、ＳＲ構成は、ＵＬ−ＳＣＨリソースが必要とされるＵＬを区別するために、明示的に使用されないことがあり得る。代わりに、構成内の選択されたＰＵＣＣＨリソースは、どのＵＬが望まれるかの黙示的なインディケーションとして使用される。ＷＴＲＵは、一実施形態において、ＲＵＬ上およびＳＵＬ上の両方に同時にＳＲを送信することがあり得る。今述べたことは、より高い信頼性を可能にすることができ、さらに、ネットワークに、ＲＵＬとＳＵＬとの間においてロードバランスができるようにすることもできる。
【０１２２】
さらに、ＲＲＣは、ＬＣＨがＲＵＬ上、ＳＵＬ上、または両方にＳＲを送信することを可能にされるかによって、適切なＳＲ構成および対応するＰＵＣＣＨリソースにより各論理チャネルを構成することがあり得る。
【０１２３】
さらに、いくつかの基準は、どのＳＲ構成が、またはＳＲ構成内のどのＰＵＣＣＨリソースが、与えられたＬＣＨに使用されるべきであるかを決定するために使用されることがあり得る。例えば、上記の基準は、ＵＬおよび／またはＤＬのカバレッジレベルに依存することがあり得る。１つの例において、構成されたまたは予め定義されたしきい値と組み合わされたＲＳＲＰ（reference signal received power；リファレンス信号受信電力）の測定値は、使用するＳＲ構成および／またはＰＵＣＣＨリソースがどれかをさらに決定するために、使用されることがあり得る。別の例において、ＷＴＲＵのＨＡＲＱの動作ポイントは、使用するＳＲ構成および／またはＰＵＣＣＨリソースがどれかをさらに決定するために、使用されることがあり得る。例えば、ＲＵＬ上のＨＡＲＱの再送がある回数に達することは、ＭＡＣエンティティーに、与えられたＳＲ構成または、あるＰＵＣＣＨリソース上にＳＲをトリガーさせることに帰着することがあり得る。同様に、パスロス推定値（pathloss estimate）またはＲＳＲＰにおけるドロップは、ＭＡＣエンティティーに、与えられたＳＲ構成または、あるＰＵＣＣＨリソースによりＳＲをトリガーさせることに帰着することがあり得る。
【０１２４】
ｇＮＢが、ＵＬ−ＳＣＨ（uplink shared channel）リソースがＳＵＬかＲＵＬかのどちらにあるかを区別するために、別々のＳＲ構成を構成する場合、ＬＣＨは、両方の構成にマップされることがあり得る。いずれかの構成のＳＲカウンターが、そのＳＲ−ｔｒａｎｓＭａｘに達するならば、ＭＡＣエンティティーは、ＰＵＣＣＨリソースを解放するようにＲＲＣに通知することがあり得り、ランダムアクセスをすぐに開始することがあり得る。代替として、ＭＡＣエンティティーは、その他のアップリンクのＳＲ構成へ移ることがあり得る。ＳＲ−ｔｒａｎｓＭａｘに、両方のＳＲ構成に対して達するならば、ＷＴＲＵは、関連したＰＵＣＣＨリソースを解放するようにＲＲＣに通知し、ランダムアクセスを開始することがあり得る。
【０１２５】
ｇＮＢが、ＳＵＬおよびＲＵＬの両方のＰＵＣＣＨリソースを有する単一のＳＲ構成を構成する場合、ＭＡＣエンティティーは、単一のＳＲカウンターを保持することがあり得り、上記の構成に対して単一のＳＲ手順を呼び出すことがあり得る。カウンターがＳｒ−ｔｒａｎｓＭａｘに達すると、ＷＴＲＵは、関連したどんなＰＵＣＣＨリソースでも解放するようにＲＲＣに通知し、ランダムアクセスを開始する。ランダムアクセスがＳＲ手順の一部として開始されると、ＲＡに対してＳＵＬとＲＵＬとの間における選択は、優先的に扱われることがあり得る。
【０１２６】
ＳＲ（スケジューリング要求）の失敗は、生じることがあり得り、ＷＴＲＵによって適切に取り扱われることがあり得る。一実施形態において、ＷＴＲＵは、ＳＲに対して１つまたは複数の専用のリソース（複数可）を有して構成されることがあり得る。例えば、上記のリソース（複数可）は、ＰＵＣＣＨ上のＳＲの送信用であることがあり得る。例えば、ＷＴＲＵは、アップリンクキャリア用の１つまたは複数のＤ−ＳＲ（dedicated resources for SR）を有して構成されることがあり得る。ＷＴＲＵは、アップリンクキャリアについて１つまたは複数のＤ−ＳＲを使用して、ＳＲ手順を開始することがあり得る。ＷＴＲＵは、アップリンクキャリア用のＤ−ＳＲ送信の最大回数に達したと決定することがあり得る。ＷＴＲＵは、ＲＵＬ用の、および／またはＳＵＬ用のＤ−ＳＲを有して構成されることがあり得る。
【０１２７】
ＲＵＬについてＤ−ＳＲの失敗が生じた場合に、ＳＲは、ＳＵＬまたはＳＵＬアクティベーションによりトリガーされることがあり得る。１つの方法において、ＷＴＲＵは、ＷＴＲＵがＲＵＬ用のＤ−ＳＲ送信の最大回数に達したと決定するときに、ＳＵＬをアクティベーションする、および／またはＳＵＬのリソースのＳＲを開始することがあり得る。ＷＴＲＵは、構成されるならばＳＵＬのＤ−ＳＲを使用して、そうでなければランダムアクセス手順を使用して、ＳＲを実行することがあり得る。
【０１２８】
ＵＬキャリアについてのＤ−ＳＲの失敗は、ＷＴＲＵの再構成を、セルの初期のＢＷＰに対してトリガーすることがあり得る。今述べたことは、ＳＵＬを有するまたは有しない、どんなセルにでも当てはまることがあり得る。１つの方法において、ＷＴＲＵは、ＷＴＲＵがアップリンクキャリア用のＤ−ＳＲ送信の最大回数に達したと決定するときに、アップリンクキャリアについてのＤ−ＳＲが失敗したと決定することがあり得る。次に、ＷＴＲＵは、第１のセルに対して初期のＢＷＰに戻ることがあり得る。第１のセルは、Ｄ−ＳＲリソースに関連付けられたセルであることがあり得る。代替として、第１のセルは、ＷＴＲＵのプライマリーセルであることがあり得り、例えば、ＷＴＲＵは、ＰＣｅｌｌを有して構成されることがあり得る。代替として、第１のセルは、それがＤ−ＳＲリソースに関連付けられたセルのグループに当てはまるような、ＷＴＲＵのプライマリーセルであることがあり得る。一実施形態において、ＷＴＲＵは、ＤＬ  ＢＷＰを、第１のセルに属する初期のＢＷＰに再構成することがあり得る。一実施形態において、ＷＴＲＵは、ＵＬ  ＢＷＰを、第１のセル用の初期のＢＷＰに再構成することがあり得る。次に、ＷＴＲＵは、第１のセル用の初期のＢＷＰに適用できるＲＡリソースを使用して、ＲＡ手順を開始することがあり得る。
【０１２９】
ＲＵＬについてのＤ−ＳＲの失敗は、セル用の初期のＢＷＰおよびＲＵＬ上のＲＡＣＨに対する再構成をトリガーすることがあり得る。ＷＴＲＵが、Ｄ−ＳＲの失敗がＲＵＬに生じたと決定するときに、セルの初期のＢＷＰを使用してＲＡを実行するように構成される１つの例において、第１のセル用の上記のアップリンクキャリアは、ＲＵＬであることがあり得る。
【０１３０】
ＳＵＬについてのＤ−ＳＲの失敗は、セル用の初期のＢＷＰおよびＳＵＬ上のＲＡＣＨに対する再構成をトリガーすることがあり得る。１つの例において、ＷＴＲＵが、Ｄ−ＳＲの失敗がＳＵＬに生じたと決定するときに、セルの初期のＢＷＰを使用してランダムアクセスを実行するように構成され、第１のセルに対する上記のアップリンクキャリアは、ＳＵＬであることがあり得る。
【０１３１】
初期のＢＷＰについて実行されるＣＢＲＡ（contention-based random access procedure）は、ＳＲ失敗に続くことがあり得る。１つの例において、ＷＴＲＵは、例えば、前述のイベントのうちのいずれかに応じて決定されるように、初期のＢＷＰを使用してＲＡ手順を開始するときに、ＣＢＲＡを開始することがあり得る。一実施形態において、今述べたことは、ＷＴＲＵが、Ｄ−ＳＲが成功しなかったと決定するときのみ開始されることがあり得る。
【０１３２】
特定のタイプのＳＳ（同期信号）に関連付けられたＰＲＡＣＨリソースを使用するＲＡＣＨは、ＳＲ失敗に続くことがあり得る。１つの例において、ＷＴＲＵは、ランダムアクセス手順を、例えばＣＢＲＡを、特定のリファレンス信号に関連付けられたＰＲＡＣＨリソースおよび／または構成を使用して開始することがあり得る。上記のリファレンス信号は、セルに共通のリファレンス信号、例えばＮＲ−ＳＳであることがあり得る。上記のリファレンス信号は、専用のリファレンス信号、例えば、ＣＳＩ−ＲＳまたはＮＲ−ＳＳであることがあり得る。ＷＴＲＵは、それが、例えば、前述のイベントのうちのいずれかに応じて決定されるように、初期のＢＷＰを使用してランダムアクセス手順を開始するときに、リファレンス信号および／またはそれの種類に基づいて上記のリソースを選択することがあり得る。一実施形態において、ＷＴＲＵが、Ｄ−ＳＲの手順が成功しなかったと決定するときのみ開始される。
【０１３３】
ＰＣｅｌｌの初期のＢＷＰについてのＲＡＣＨ手順は、ＳＲ失敗に続くことがあり得る。１つの例において、ＷＴＲＵは、ＷＴＲＵが、例えば、前述のイベントのうちのいずれかに応じて決定されるように、初期のＢＷＰを使用してランダムアクセス手順を開始するときに、ＷＴＲＵが構成したＰＣｅｌｌについてランダムアクセス手順を開始することがあり得る。一実施形態において、ＷＴＲＵが、Ｄ−ＳＲの手順が成功しなかったと決定するときのみ開始される。
【０１３４】
前述のシナリオのうちのどれに対しても、デフォルトのＢＷＰを使用することは、構成されるならば、使用されることがあり得る。１つの例において、ＷＴＲＵは、関係のあるセルに対してＷＴＲＵによって構成されるならば、デフォルトのＢＷＰについてランダムアクセス手順を開始することがあり得る。今述べた開始は、ＷＴＲＵが、例えば、前述のイベントのうちのいずれかに応じて決定されるように、初期のＢＷＰを使用してＲＡ手順を開始するときに、生じることがあり得る。一実施形態において、それは、ＷＴＲＵが、Ｄ−ＳＲの手順が成功しなかったと決定するときのみ開始される。
【０１３５】
前述のシナリオのうちのどれでも、ＲＡＣＨ、Ｄ−ＳＲ、または、グラントレスリソース（grantless resource）についてのＨＡＲＱの最大送信回数のいずれかを使用するＳＲの一般的な場合に当てはまることがあり得る。１つの例において、ＷＴＲＵは、与えられたセルおよび／またはキャリアのリソースを取得するおよび／または使用するアテンプトが成功しなかったとの決定のときに、前述の手順のうちのどれでも実行することがあり得る。一実施形態において、決定は、最大送信回数の後に続いて、および／またはある時間量が、手順の、例えば、ＳＲ手順、ＨＡＲＱのプロセス、もしくはＲＡＣＨ手順の開始以降に経過した後に、行われることがあり得る。経過した時間量は、タイマーを使用して測られることがあり得る。タイマーが切れたときに、ＷＴＲＵは、従って作動するように構成される。
【０１３６】
１つの例において、ＷＴＲＵは、構成されるアップリンクリソースを使用するトランスポートブロックに対してＨＡＲＱの送信の最大回数が達せられたとの決定に基づいて、前述の手順のうちのどれでも実行することがあり得る。例えば、構成されるアップリンクリソースは、半永続的なアップリンクグラント、例えば、ＳＰＳ（semi-persistent scheduling）グラントであることがあり得る。例えば、上記の構成されるアップリンクリソースは、グラントレス送信用であることがあり得る。例えば、上記の構成されるアップリンクリソースは、特定の種類のグラントおよび／またはリソースに対する動的な制御情報の受信による送信用であることがあり得る。
【０１３７】
実施形態において、ＷＴＲＵは、ＲＡ手順が、例えば、初期のＢＷＰに関係のあるセルのリソースを使用して、成功しなかったと決定するときに、前述の認識および／または組み合わせのうちのどの後に続いても、それが無線リンク失敗を経験していると決定することがあり得る。前述の方法のうちのどれでも、単独または組み合わせにおいて使用されることがあり得る。
【０１３８】
１つのシナリオにおいて、最初に、ＲＵＬについてのＤ−ＳＲ失敗は、生じることがあり得り、次に、Ｄ−ＳＲ失敗は、ＳＵＬに生じることがあり得る。応えて、ＷＴＲＵは、ＲＵＬの初期のＢＷＰについてのＲＡＣＨ手順を実行することがあり得る。例えば、ＷＴＲＵは、ＷＴＲＵが、ＲＵＬについてのＤ−ＳＲが成功しなかったと決定するときに、ＳＵＬについてのＳＲを実行するように構成されることがあり得る。ＷＴＲＵは、ＷＴＲＵが、ＳＲがＳＵＬにおいて成功しなかったと決定するときに、ＲＵＬのデフォルトのＢＷＰに戻るように構成されることがあり得る。次に、ＷＴＲＵは、セルのＲＵＬについてのランダムアクセス手順を開始することがあり得る。
【０１３９】
図８は、ＷＴＲＵによってＳＲを送信するための例示的な手順のフローチャート８００である。図８に示すように、ＷＴＲＵは、ＲＵＬ上に、またはＳＵＬ上にＤ−ＳＲ（dedicated resource for SR）を有して構成される８０２ことがあり得る。一実施形態において、リソースは、予め構成されることがあり得り、または代替として、リソースは、ネットワークのために受信されることがあり得る。ＷＴＲＵは、１つまたは複数の専用のリソースにより送信する８０４ことがあり得り、送信が成功しないならば、ＷＴＲＵは、送信リソースの最大数に対応するカウントをインクリメントすることがあり得る。リソースの最大数に達する８０６ならば、ＷＴＲＵは、ＳＵＬをアクティベートする８０８ことがあり得る。次に、ＷＴＲＵは、ランダムアクセス手順を使用してＳＲを送信することを、またはＳＵＬの専用のリソースによりＳＲを送信することを決定することがあり得る。
【０１４０】
ＷＴＲＵは、ＷＴＲＵが、Ｄ−ＳＲが成功しなかったと決定するときに、ＲＵＬのリソースおよびセル用の初期のＢＷＰを使用して、ＲＡを実行するように構成されることがあり得る。ＲＵＬかＳＵＬかのいずれかついてのＤ−ＳＲ失敗は、ＲＵＬの初期のＢＷＰに対してＣＢＲＡに導くことがあり得る。
【０１４１】
図９は、ＳＵＬキャリア上の帯域幅部分のＲＡ送信が後続するＲＵＬキャリア上の帯域幅部分のＲＡ送信を例示するタイミング図９００である。ＷＴＲＵは、ＢＷＰ１（第１の帯域幅部分）上の第２のＲＡ送信９０４により後続される、ＢＷＰ１上の第１のＲＡ送信９０２を行うことがあり得る。ＷＴＲＵは、最大送信回数がＢＷＰ１について達せられたと決定することがあり得り、次にＢＷＰ２（帯域幅部分２）に切り替えることがあり得る。例えば、ＢＷＰ２について、ＢＷＰ＿Ｎ（別の帯域幅部分）への切り替えが行われる前に、単一の送信９０６のみが存在することがあり得る。ＢＷＰ＿Ｎ上において、ＷＴＲＵは、最大送信回数がＢＷＰ＿Ｎについて満たされたと決定する前に、第２のＲＡ送信９１０および第３のＲＡ送信９１２により後続される、第１のＲＡ送信９０８を行うことがあり得る。ＲＵＬキャリア上のすべてのＢＷＰが作成されると、ＷＴＲＵは、ＳＵＬキャリアに切り替えることがあり得る。ＳＵＬキャリアについて、ＷＴＲＵは、ＳＵＬのＢＷＰ１（第１の帯域幅部分）上に送信９１４し、次に再び送信９１６する。最大送信回数がＳＵＬ用のＢＷＰ１について満たされるならば、ＷＴＲＵは、第２の送信９２０および第３の送信９２２によって後続される、ＢＷＰ＿２（第２の帯域幅部分）上の第１のＲＡ送信９１８を送信することがあり得る。
【０１４２】
ＲＡは、他のＲＡリソース上の、別のＢＷＰ上などの障害の決定に対して、初期のＢＷＰのＲＡリソースを使用して、必ず実行されることがあり得る。ＷＴＲＵは、障害状況を決定するときに、初期のＢＷＰに対して、再構成するおよび／またはアクティブなＢＷＰとして設定することがあり得る。例えば、上記の障害の決定は、Ｄ−ＳＲが成功しなかったとの決定、ランダムアクセス手順が成功しなかったとの決定、無線リンクの問題の決定、無線リンクの失敗の決定、ＨＡＲＱの送信の最大回数が、与えられたＨＡＲＱのプロセスについて達せられたとの決定、および／または測定値がしきい値を下回るとの決定を含むことがあり得る。一実施形態において、測定値は、無線リンク品質が不十分であることを示すことがあり得る。さらに、ＷＴＲＵは、初期のＢＷＰに関連付けられるリソースを使用して、ランダムアクセス手順を開始することがあり得る。
【０１４３】
特徴および要素が特定の組み合わせにおいて上に述べられるが、当業者は、各特徴または要素が単独においてまたはその他の特徴および要素とのどの組み合わせをとっても使用されることが可能であることを理解するであろう。加えて、本明細書において説明される方法は、コンピュータープログラム、ソフトウェア、またはコンピューターまたはプロセッサーによる実行のためにコンピューター読み取り可能な媒体に組み入れられたファームウェアにおいて実装されることがあり得る。コンピューター読み取り可能な媒体の例は、コンピューター読み取り可能な記録媒体を含む。コンピューター読み取り可能な記録媒体の例は、制限しないが、ＲＯＭ（described）、ＲＡＭ（random access memory）、レジスター、キャッシュメモリー、半導体メモリーデバイス、例えば、内蔵ハードディスクおよび取り外し可能なディスクなどの磁気メディア、光磁気メディア、例えば、ＣＤ−ＲＯＭディスクおよびＤＶＤ（digital versatile disk）などの光メディアを含む。ソフトウェアに関連付けられたプロセッサーは、ＷＴＲＵ、ＵＥ、端末、基地局、ＲＮＣ、またはどんなホストコンピューターにおいてでも、使用するための無線周波数トランシーバーを実装するために使用されることがあり得る。
【図１Ａ】
2021503220.tif 000003
【図１Ｂ】
2021503220.tif 000004
【図１Ｃ】
2021503220.tif 000005
【図１Ｄ】
2021503220.tif 000006
【図２】
2021503220.tif 000007
【図３】
2021503220.tif 000008
【図４】
2021503220.tif 000009
【図５Ａ】
2021503220.tif 000010
【図５Ｂ】
2021503220.tif 000011
【図６】
2021503220.tif 000012
【図７】
2021503220.tif 000013
【図８】
2021503220.tif 000014
【図９】
2021503220.tif 000015
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
ワイヤレス送信／受信ユニット（ＷＴＲＵ）により行われる方法であって、
レギュラーアップリンク（ＲＵＬ）キャリア上に第１のランダムアクセス（ＲＡ）プリアンブルを送信するステップと、
カウンターをインクリメントするステップと、
前記第１のＲＡプリアンブル送信に対するランダムアクセス応答（ＲＡＲ）が首尾よく受信されないことを決定するステップと、
しきい値と前記カウンターを比較するステップと、
前記カウンターがしきい値よりもより大きいという条件で、サプリメンタリィアップリンク（ＳＵＬ）キャリア上に第２のＲＡプリアンブルを送信するステップと、
前記カウンターが前記しきい値よりもより大きくないという条件で、前記ＲＵＬキャリア上に前記第１のＲＡプリアンブルを再送するステップと
を備えることを特徴とする方法。
【請求項２】
前記ＲＵＬキャリアは、前記ＳＵＬキャリアよりもより高い周波数上にあることを特徴とする請求項１に記載の方法。
【請求項３】
前記ＲＵＬキャリアのリファレンス信号受信電力（ＲＳＲＰ）は、前記ＳＵＬキャリアのＲＳＲＰとは異なることを特徴とする請求項１に記載の方法。
【請求項４】
前記ＳＵＬは、複数のＳＵＬキャリアのうちの１つであることを特徴とする請求項１に記載の方法。
【請求項５】
前記ＲＵＬキャリア上に前記第１のＲＡプリアンブルを再送することの後に前記カウンターをインクリメントするステップをさらに備えることを特徴とする請求項１に記載の方法。
【請求項６】
レギュラーアップリンク（ＲＵＬ）キャリア上に第１のランダムアクセス（ＲＡ）プリアンブルを送信するように構成されたトランスミッターと、
カウンターをインクリメントするように構成された回路と、
前記第１のＲＡプリアンブル送信に対するランダムアクセス応答（ＲＡＲ）が首尾よく受信されないことを決定するように構成された回路と、
しきい値と前記カウンターを比較するように構成された回路と、
前記カウンターがしきい値よりもより大きいという条件で、サプリメンタリィアップリンク（ＳＵＬ）キャリア上に第２のＲＡプリアンブルを送信するように構成された前記トランスミッターと、
前記カウンターが前記しきい値よりもより大きくないという条件で、前記ＲＵＬキャリア上に前記第１のＲＡプリアンブルを再送するように構成された前記トランスミッターと
を備えたことを特徴とするワイヤレス送信／受信ユニット（ＷＴＲＵ）。
【請求項７】
前記ＳＵＬキャリアは、複数のＳＵＬキャリアのうちの１つであることを特徴とする請求項６に記載のＷＴＲＵ。
【請求項８】
前記ＲＵＬキャリア上に前記第１のＲＡプリアンブルを再送することの後に前記カウンターをインクリメントすることをさらに備えたことを特徴とする請求項６に記載のＷＴＲＵ。
【請求項９】
レギュラーアップリンク（ＲＵＬ）キャリア上に第１のランダムアクセス（ＲＡ）プリアンブルを送信するように構成されたトランスミッターと、
前記第１のＲＡプリアンブル送信に対するランダムアクセス応答（ＲＡＲ）が首尾よく受信されないことを決定するように構成された回路と、
前記第１のＲＡプリアンブル送信に対する前記ＲＡＲが首尾よく受信されないことの前記決定に応えて、サプリメンタリィアップリンク（ＳＵＬ）キャリア上に第２のＲＡプリアンブルを送信するように構成された前記トランスミッターと
を備えたことを特徴とするワイヤレス送信／受信ユニット（ＷＴＲＵ）。
【請求項１０】
前記ＲＵＬキャリアは、前記ＳＵＬキャリアよりもより高い周波数上にあることを特徴とする請求項９に記載のＷＴＲＵ。
【国際調査報告】
2021503220.tif 000016
2021503220.tif 000017
2021503220.tif 000018
2021503220.tif 000019